(57)【要約】本発明は、無線通信システムのソフトハンドオフ環境におけるデータ送受信方法に関するものである。本発明の一様相による無線通信システムのソフトハンドオフ環境にある端末でデータを受信する方法において、端末は、第１基地局から、転送データが第１インターリーバーパターンを用いてインターリービングされた第１シーケンスを受信し、第２基地局から、前記転送データが第２インターリーバーパターンを用いてインターリービングされた第２シーケンスを受信し、前記第１シーケンスの割り当てられたフレーム全体を受信する前に、前記第１シーケンス及び前記第２シーケンスを結合してデコーディングする。【選択図】図１７
2011518460.tif 000002
【特許請求の範囲】
【請求項１】
無線通信システムのソフトハンドオフ環境にある端末でデータを受信する方法であって、
第１基地局から、転送データが第１インターリーバーパターンを用いてインターリービングされた第１シーケンスを受信し、
第２基地局から、前記転送データが第２インターリーバーパターンを用いてインターリービングされた第２シーケンスを受信し、
前記第１シーケンスの割り当てられたフレーム全体を受信する前に、前記第１シーケンス及び前記第２シーケンスを結合してデコーディングすること、
を含む、データ受信方法。
【請求項２】
前記第２シーケンスは、前記第１シーケンスが循環移動したシーケンスであることを特徴とする、請求項１に記載のデータ受信方法。
【請求項３】
前記第２シーケンスは、前記第１シーケンスが（前記第１シーケンスの長さ／２）だけ循環移動したシーケンスであることを特徴とする、請求項２に記載のデータ受信方法。
【請求項４】
前記デコーディングを成功的に行うと、前記基地局にＡＣＫを転送するステップをさらに含むことを特徴とする、請求項１に記載のデータ受信方法。
【請求項５】
前記第１シーケンス及び前記第２シーケンスは、畳み込みコードでエンコーディングされていることを特徴とする、請求項１に記載のデータ受信方法。
【請求項６】
前記転送データは、音声データであることを特徴とする、請求項１に記載のデータ受信方法。
【請求項７】
無線通信システムのソフトハンドオフ環境でデータを受信する端末であって、
第１基地局から、転送データが第１インターリーバーパターンを用いてインターリービングされた第１シーケンスを受信し、第２基地局から、前記転送データが第２インターリーバーパターンを用いてインターリービングされた第２シーケンスを受信する受信モジュールと、
前記第１シーケンスの割り当てられたフレーム全体を受信する前に、前記第１シーケンス及び前記第２シーケンスを結合してデコーディングするデコーダと、
を含む端末。
【請求項８】
前記第２シーケンスは、前記第１シーケンスが循環移動したシーケンスであることを特徴とする、請求項７に記載の端末。
【請求項９】
前記第２シーケンスは、前記第１シーケンスが（前記第１シーケンスの長さ／２）だけ循環移動したシーケンスであることを特徴とする、請求項８に記載の端末。
【請求項１０】
前記デコーディングを成功的に行うと、前記基地局にＡＣＫを転送することを特徴とする、請求項７に記載の端末。
【請求項１１】
前記第１シーケンス及び前記第２シーケンスは、畳み込みコードでエンコーディングされていることを特徴とする、請求項７に記載の端末。
【請求項１２】
前記転送データは、音声データであることを特徴とする、請求項７に記載の端末。
【請求項１３】
無線通信システムのソフトハンドオフ環境にある端末と通信している第１基地局でデータを転送する方法であって、
転送データを第１インターリーバーパターンを用いてインターリービングして生成された第１シーケンスを前記端末に転送すし、
前記端末から肯定確認応答（Ａｃｋｎｏｗｌｅｄｇｅｍｅｎｔ：ＡＣＫ）を受信すると、前記第１シーケンスの割り当てられたフレームの転送を中断すること、
を含み、
前記第１シーケンスは、前記端末と通信している第２基地局が前記転送データを第２インターリーバーパターンを用いて生成した第２シーケンスと異なることを特徴とする、データ転送方法。
【請求項１４】
前記第２シーケンスは、前記第１シーケンスが循環移動したシーケンスであることを特徴とする、請求項１３に記載のデータ転送方法。
【請求項１５】
前記第２シーケンスは、前記第１シーケンスが（前記第１シーケンスの長さ／２）だけ循環移動したシーケンスであることを特徴とする、請求項１３に記載のデータ転送方法。
【請求項１６】
前記第１シーケンス及び前記第２シーケンスは、畳み込みコードでエンコーディングされていることを特徴とする、請求項１３に記載のデータ転送方法。
【請求項１７】
前記転送データは、音声データであることを特徴とする、請求項１３に記載のデータ転送方法。
【請求項１８】
無線通信システムのソフトハンドオフ環境にある端末と通信している基地局であって、
転送データをエンコーディングするエンコーダと、
前記エンコーディングされたデータを第１インターリーバーパターンを用いてインターリービングして第１シーケンスを生成するインターリーバーと、
を含み、
前記基地局は、前記端末から肯定確認応答（Ａｃｋｎｏｗｌｅｄｇｅｍｅｎｔ：ＡＣＫ）を受信すると、前記第１シーケンスの割り当てられたフレームの転送を中断し、前記第１シーケンスは、前記端末と通信している他の基地局が前記転送データを第２インターリーバーパターンを用いて生成した第２シーケンスと異なることを特徴とする基地局。
【請求項１９】
前記第２シーケンスは、前記第１シーケンスが循環移動したシーケンスであることを特徴とする、請求項１８に記載の基地局。
【請求項２０】
前記第２シーケンスは、前記第１シーケンスが（前記第１シーケンスの長さ／２）だけ循環移動したシーケンスであることを特徴とする、請求項１８に記載の基地局。
【請求項２１】
前記エンコーダは、畳み込みコードを用いて前記転送データをエンコーディングすることを特徴とする、請求項１８に記載の基地局。
【請求項２２】
前記転送データは、音声データであることを特徴とする、請求項１８に記載の基地局。
【発明の詳細な説明】
【技術分野】
【０００１】
本発明は、無線通信システムに係り、特に、無線通信システムのソフトハンドオフ環境におけるデータ送受信装置及び方法に関するものである。
【背景技術】
【０００２】
まず、従来技術による電力制御技術について説明する。
【０００３】
移動通信システムでいう電力制御は、転送データの転送率に応じて使用される変調及びコーディング手法が要求するレベルでシステムが動作されうるように、受信端で受信信号の電力レベルを調節する手法のことを意味する。特に、電力制御は、逆方向リンク（ｒｅｖｅｒｓｅ  ｌｉｎｋ）で発生する遠近（ｎｅａｒ−ｆａｒ）問題を解決するためのもので、基地局から近い端末の送信電力と遠い端末の送信電力とが異なるように端末の送信電力を制御することによって、基地局が受信する端末の電力レベルを一定のレベルに調節する。
【０００４】
端末は、逆方向リンクを通じてデータ信号とともにパイロット信号を基地局に転送し、この場合、逆方向電力制御は、逆方向パイロットチャネル（ｒｅｖｅｒｓｅ  ｐｉｌｏｔ  ｃｈａｎｎｅｌ：Ｒ−ＰＩＣＨ）の受信エネルギーが一定となるように端末の転送電力を調節することによってなる。基地局の受信端は、逆方向パイロットチャネルの受信エネルギーを測定し、あらかじめ定められた基準値であるセットポイント（ｓｅｔ  ｐｏｉｎｔ）よりも受信エネルギーが高いと、転送電力を下げる旨のダウン（ＤＯＷＮ）電力制御命令語（ｐｏｗｅｒ  ｃｏｎｔｒｏｌ  ｂｉｔ：ＰＣＢ）を端末に転送し、受信エネルギーがセットポイントよりも低いと、転送電力を上げる旨のアップ（ＵＰ）電力制御命令語を順方向電力制御サブチャネル（ｆｏｒｗａｒｄ  ｐｏｗｅｒ  ｃｏｎｔｒｏｌ  ｓｕｂｃｈａｎｎｅｌ：Ｆ−ＰＣＳＣＨ）を通じて端末に転送する。
【０００５】
このようなパイロットチャネル電力制御に基づいて、逆方向リンクを通じてデータが転送される逆方向トラフィックチャネル（ｒｅｖｅｒｓｅ  ｔｒａｆｆｉｃ  ｃｈａｎｎｅｌ：Ｒ−ＴＣＨ）の電力制御が行われる。すなわち、逆方向トラフィックチャネルの転送電力は、パイロットチャネルの転送電力とトラフィックチャネルの転送電力との比（ｔｒａｆｆｉｃ  ｔｏ  ｐｉｌｏｔ  ｒａｔｉｏ：ＴＰＲ）を用いて決定される。トラフィックチャネルを通じて転送されるデータのデータレート（ｄａｔａ  ｒａｔｅ）別ＴＰＲはあらかじめ定められており、逆方向リンク電力制御によってＰＣＢ単位でパイロットチャネルの転送電力が可変し、可変するパイロットチャネルの転送電力とあらかじめ定められたＴＰＲとの関係によって、データが転送されるトラフィックチャネルの転送電力が決定される。
【０００６】
次に、従来技術によるパケットデータのハイブリッド自動再送要求（Ｈｙｂｒｉｄ  ａｕｔｏｍａｔｉｃ  ｒｅｐｅａｔ  ｒｅｑｕｅｓｔ：以下、“ＨＡＲＱ”という。）手法及び早期終了技術について説明する。
【０００７】
転送遅延に敏感でない特性を有するパケットデータの転送効率を向上させるために用いられるＨＡＲＱ手法は、既存の順方向エラー訂正（ｆｏｒｗａｒｄ  ｅｒｒｏｒ  ｃｏｒｒｅｃｔｉｏｎ：以下、“ＦＥＣ”という。）方式とエラー検出を通じた自動再送要求（ａｕｔｏｍａｔｉｃ  ｒｅｐｅａｔ  ｒｅｑｕｅｓｔ：ＡＲＱ）方式とを結合した手法である。ＨＡＲＱ手法は、物理階層と関連して使用され、再転送されたデータを以前に受信したデータと結合させることで高いデコーディング成功率を保障する。すなわち、ＨＡＲＱ手法は、転送に失敗したパケットを廃棄せずに保存しておき、以降、再転送されたパケットと結合させてデコーディングする方法である。
【０００８】
ＨＡＲＱ手法によると、送信端は、データパケット情報をＦＥＣコーディングし、コーディングされたビットを複数個のサブパケットに分けて転送する。サブパケットは、一つのサブパケットだけでデコーディングできるもので、転送の成功／失敗がわかる構造とされている。また、受信端は、以前に受信した同一パケットのサブパケットと現在受信したサブパケットとを結合してデコーディングし、転送の成功または失敗を確認することもできる。送信端は、１番目のサブパケット転送後に、受信端からパケット転送に対する確認応答（ＡＣＫ／ＮＡＣＫ）を受信し、否定確認応答（Ｎｅｇａｔｉｖｅ  Ａｃｋｎｏｗｌｅｄｇｅｍｅｎｔ：以下、“ＮＡＣＫ”という。）であれば、別のサブパケットをさらに転送し、肯定確認応答（Ａｃｋｎｏｗｌｅｄｇｅｍｅｎｔ：以下、“ＡＣＫ”という。）であれば、該当のパケットの転送を終了する。
【０００９】
ＨＡＲＱ手法で生成されたサブパケットがＮ個の場合、送信端がＭ（＜Ｎ）番目のサブパケットを転送してＡＣＫフィードバックを受信すると、送信端は残りのサブパケットを転送せずに当該パケットの転送を終了する。これを早期終了（ｅａｒｌｙ  ｔｅｒｍｉｎａｔｉｏｎ）技術という。早期終了技術を用いると、余分のサブパケットを転送しなくて済み、パケット転送効率を大きく向上させることができる。
【００１０】
次に、従来技術によるサーキットチャネル（ｃｉｒｃｕｉｔ  ｃｈａｎｎｅｌ）の早期終了技術について説明する。
【００１１】
転送遅延に敏感な特性を有するとともに連続してデータが発生する音声サービスは、サーキットチャネルを通じて転送される。サーキットチャネルは、データが中止することなく転送されるチャネルの形態である。
【００１２】
図１は、ＣＤＭＡ２０００システムにおいて逆方向リンクの電力制御方法を示す図である。
【００１３】
図１に示すように、現在商用化されているコード分割多重接続（ｃｏｄｅ  ｄｉｖｉｓｉｏｎ  ｍｕｌｔｉｐｌｅ  ａｃｃｅｓｓ：ＣＤＭＡ）２０００システムにおいて、サーキットチャネル構造のトラフィックチャネルのフレームは、主として２０ｍｓであり、１フレームは１６個のスロットを含み、１スロットは１．２５ｍｓである。受信端は、各スロットごとに一つのＰＣＢを送信することから、スロットを電力制御グループ（Ｐｏｗｅｒ  Ｃｏｎｔｒｏｌ  Ｇｒｏｕｐ：ＰＣＧ）と呼ぶ。
【００１４】
サーキットチャネル構造のトラフィックチャネルの転送効率を上げる目的で、最近、３ＧＰＰ２（３ｒｄ  Ｇｅｎｅｒａｔｉｏｎ  Ｐａｒｔｎｅｒｓｈｉｐ  Ｐｒｏｊｅｃｔ  ２）標準化機構では、サーキットチャネルに早期終了手法を適用することについて論議中である。サーキットチャネルの早期終了手法は、受信端が２０ｍｓの全体フレームを受信した後に、データをデコーディングする従来の方式と違い、フレームを受信する途中でデータデコーディングを試みて、データ受信に成功すると送信端にＡＣＫをフィードバックし、該当のフレームの転送を中止させる方式である。これによれば、ＣＤＭＡシステムにおいて余分の転送を中止させ、他のユーザに与える干渉を減らす効果が得られるため、全体システム容量を増大させることが可能になる。
【００１５】
図２は、逆方向リンクトラフィックチャネルに早期終了手法を適用した例を示す図である。図２に示すように、基地局は、フレームを受信する途中でデータデコーディングを試みて、データ受信に成功すると、ＡＣＫを順方向ＡＣＫサブチャネル（ｆｏｒｗａｒｄ  ａｃｋｎｏｗｌｅｄｇｅ  ｓｕｂｃｈａｎｎｅｌ：Ｆ−ＡＣＫＳＣＨ）を通じて端末に転送し、ＡＣＫを受信した端末は、該当のフレームの転送を中止する。
【００１６】
ソフトハンドオーバー状況で、端末は、同一情報を含むトラフィックチャネルを２つ以上の基地局から受信する。そして、端末は、２つ以上の基地局のそれぞれから受信したトラフィックチャネルを復調した後、復調されたトラフィックチャネルを結合してデコーディングを行う。
【００１７】
ＣＤＭＡシステムにおいて、一つの基地局が転送するトラフィックチャネルは、スプレッドコード（ｓｐｒｅａｄ  ｃｏｄｅ）により区分される。すなわち、基地局は、トラフィックチャネルにそれぞれ異なるウォルシュコード（ｗａｌｓｈ  ｃｏｄｅ）を割り当て、割り当てられたウォルシュコードで信号を変調して転送する。この場合、一つの基地局において干渉無しで多数のトラフィックチャネルを転送するには、トラフィックチャネルのＦＥＣチャネルコーディングのコーディング率（ｃｏｄｉｎｇ  ｒａｔｅ）を高くしなければならない。ＣＤＭＡ２０００システムにおいて、無線構造４（ｒａｄｉｏ  ｃｏｎｆｉｇｕｒａｔｉｏｎ  ４）の場合、順方向リンクのトラフィックチャネルのＦＥＣチャネルコーディングのコーディング率は１／２である。
【００１８】
コーディング率が１／２の場合、早期終了手法を適用すると、２０ｍｓフレームの半分以上を受信した後にのみ、デコーディング試み時点にデコーディングに成功することができる。すなわち、フレームの半分以下を受信した状態では、デコーディング成功確率は０になる。
【００１９】
したがって、早期終了手法の利得を向上させることは困難であった。
【発明の概要】
【発明が解決しようとする課題】
【００２０】
このように、従来技術では早期終了手法の利得を向上させ難いという問題点があった。
【００２１】
本発明の目的は、コーディング利得及び早期終了手法の利得を向上させることができる、ソフトハンドオフ環境におけるデータ送受信方法を提供することにある。
【００２２】
本発明で達成しようとする技術的課題は、上述の技術的課題に限定されるものではなく、言及していない他の技術的課題は、以下の記載から、本発明の属する技術分野における通常の知識を有する者にとっては明らかになるであろう。
【課題を解決するための手段】
【００２３】
上記課題を達成するために、本発明の一様相によれば、無線通信システムのソフトハンドオフ環境にある端末でデータを受信する方法において、端末は、第１基地局から、転送データが第１インターリーバーパターンを用いてインターリービングされた第１シーケンスを受信し、第２基地局から、前記転送データが第２インターリーバーパターンを用いてインターリービングされた第２シーケンスを受信し、前記第１シーケンスの割り当てられたフレーム全体を受信する前に、前記第１シーケンス及び前記第２シーケンスを結合してデコーディングする。
【００２４】
上記課題を達成するために、本発明の他の様相によれば、無線通信システムのソフトハンドオフ環境においてデータを受信する端末は、第１基地局から、転送データが第１インターリーバーパターンを用いてインターリービングされた第１シーケンスを受信し、第２基地局から、前記転送データが第２インターリーバーパターンを用いてインターリービングされた第２シーケンスを受信する受信モジュールと、前記第１シーケンスの割り当てられたフレーム全体を受信する前に、前記第１シーケンス及び前記第２シーケンスを結合してデコーディングするデコーダと、を含む。
【００２５】
ここで、前記第２シーケンスは、前記第１シーケンスが（前記第１シーケンスの長さ／２）だけ循環移動したシーケンスとすることができる。
【００２６】
また、前記端末は、前記デコーディングに成功すると、前記基地局にＡＣＫを転送することができる。
【００２７】
また、前記第１シーケンス及び前記第２シーケンスは、畳み込みコード（Ｃｏｎｖｏｌｕｔｉｏｎａｌ  ｃｏｄｅ）でエンコーディングされたものとすることができる。
【００２８】
なお、前記転送データは音声データとすることができる。
【００２９】
上記課題を達成するために、本発明のさらに他の様相によれば、無線通信システムのソフトハンドオフ環境にある端末と通信している第１基地局でデータを転送する方法において、前記第１基地局は、転送データを第１インターリーバーパターンを用いてインターリービングして生成した第１シーケンスを前記端末に転送し、前記端末から肯定確認応答（Ａｃｋｎｏｗｌｅｄｇｅｍｅｎｔ：ＡＣＫ）を受信すると、前記第１シーケンスの割り当てられたフレームの転送を中断し、前記第１シーケンスは、前記端末と通信している第２基地局が前記転送データを第２インターリーバーパターンを用いて生成した第２シーケンスと異なる。
【００３０】
上記課題を達成するために、本発明のさらに他の様相によれば、無線通信システムのソフトハンドオフ環境にある端末と通信している基地局において、該基地局は、転送データをエンコーディングするエンコーダと、前記エンコーディングされたデータを第１インターリーバーパターンを用いてインターリービングして第１シーケンスを生成するインターリーバーと、を含み、前記第１基地局は、前記端末から肯定確認応答（Ａｃｋｎｏｗｌｅｄｇｅｍｅｎｔ：ＡＣＫ）を受信すると、前記第１シーケンスの割り当てられたフレームの転送を中断し、前記第１シーケンスは、前記端末と通信している他の基地局が前記転送データを第２インターリーバーパターンを用いて生成した第２シーケンスと異なる。
【００３１】
ここで、前記第２シーケンスは、前記第１シーケンスが（前記第１シーケンスの長さ／２）だけ循環移動したシーケンスとすることができる。
【００３２】
また、前記第１シーケンス及び前記第２シーケンスは、畳み込みコード（Ｃｏｎｖｏｌｕｔｉｏｎａｌ  ｃｏｄｅ）でエンコーディングされたものとすることができる。
【００３３】
なお、前記転送データは音声データとすることができる。
【発明の効果】
【００３４】
本発明の実施例によれば、ソフトハンドオフ環境にある端末と通信している複数の基地局のそれぞれは、互いに異なるパターンやコードを用いてデータを転送するため、ハンドオフ環境で早期終了の利得を向上させることが可能になる。
【００３５】
本発明で得られる効果は、以上に言及した効果に制限されず、言及していない他の効果は、下記の記載から、本発明の属する技術分野における通常の知識を有する者にとって明らかになるであろう。
【図面の簡単な説明】
【００３６】
【図１】ＣＤＭＡ２０００システムで逆方向リンクの電力制御方法を示す図である。
【図２】逆方向リンクトラフィックチャネルに早期終了手法を適用した例を示す図である。
【図３】本発明の実施例によるＴＰＲを変化させながらフレームを転送する方法の一例を示す図である。
【図４】本発明の実施例による２段階減少ＴＰＲ（２−ｓｔｅｐ  ｒｅｄｕｃｔｉｏｎ  ＴＰＲ）方法を示す図である。
【図５】本発明の実施例によるマルチ段階変更ＴＰＲ方法の一例を示す図である。
【図６】順方向リンクの電力制御方法を示す図である。
【図７】本発明の実施例による順方向リンクの電力制御方法を示す図である。
【図８】本発明の第１実施例によって逆方向リンクの外部電力制御ループを制御する方法を示す図である。
【図９】本発明の第１実施例によって順方向リンクの外部電力制御ループを制御する方法を示す図である。
【図１０】本発明の第２実施例によって逆方向リンクの外部電力制御ループを制御する方法を示す図である。
【図１１】本発明の第２実施例によって順方向リンクの外部電力制御ループを制御する方法を示す図である。
【図１２】本発明の第３実施例によって逆方向リンクの外部電力制御ループを制御する方法を示す図である。
【図１３】本発明の第３実施例によって順方向リンクの外部電力制御ループを制御する方法を示す図である。
【図１４】本発明の実施例によってＡＣＫを反復して転送する場合を示す図である。
【図１５】本発明に実施例によってＮＡＣＫを反復して転送する場合を示す図である。
【図１６】図１６ａは、順方向リンクで本発明の実施例によるデータレート指示方法を示す図である。図１６ｂは、逆方向リンクで本発明の実施例によるデータレート指示方法を示す図である。
【図１７】図１７ａは、本発明の第１実施例による第１基地局の構成図である。図１７ｂは、本発明の第１実施例による第２基地局の構成図である。
【図１８】本発明の第１実施例による端末の構成図である。
【図１９】本発明の第２実施例によるソフトハンドオフ環境でデータ送受信方法を示す図である。
【図２０ａ】生成多項式が（５６１，７５３）である畳み込みコードのエンコーダ構造及び生成多項式が（５５７，７５１）である畳み込みコードのエンコーダ構造を示す図である。
【図２０ｂ】、２つの畳み込みコードが結合されたエンコーダの構造を示す図である。
【図２１】コーディング率が１／２であるコードのそれぞれ及び結合されたコーディング率が１／４であるコードのビットエラー率（ｂｉｔ  ｅｒｒｏｒ  ｒａｔｅ：ＢＥＲ）の上限を示す図である。
【図２２】本発明の第３実施例による基地局の構成図である。
【図２３】本発明の実施例による無線構成を使用する転送端の転送チェーンの一例を示す図である。
【図２４】本発明の実施例による無線構成を使用する転送端の転送チェーンの他の例を示す図である。
【図２５】本発明の実施例による無線構成を使用する２つの基地局が、ハンドオフ環境にある端末と通信する過程を示す図である。
【図２６】本発明の実施例による無線構成を使用する場合、ハンドオフ過程の一例を示す図である。
【図２７】本発明の実施例による無線構成を使用する場合、ハンドオフ過程の他の例を示す図である。
【図２８】本発明の実施例による無線構成を使用する場合、Ｆ−ＰＣＳＣＨ及びＦ−ＡＣＫＳＣＨ制御チャネルの構成の一例を示す図である。
【図２９】本発明の実施例による無線構成を使用する場合、Ｆ−ＰＣＳＣＨ及びＦ−ＡＣＫＳＣＨ制御チャネルの構成の他の例を示す図である。
【図３０】本発明の実施例による無線構成を使用する場合、Ｆ−ＰＣＳＣＨ及びＦ−ＡＣＫＳＣＨ制御チャネルの構成のさらに他の例を示す図である。
【発明を実施するための形態】
【００３７】
以下、添付の図面を参照しつつ、本発明の実施例について、本発明の属する技術分野における通常の知識を有する者が容易に実施できるように詳細に説明する。ただし、本発明は、様々な別の形態に具現することができ、ここで説明する実施例に限定されない。なお、図面において、本発明の明確な説明のために、周知の部分については適宜説明を省略し、明細書全体を通じて同一の部分には同一の図面符号を付する。
【００３８】
明細書全体において、ある部分がある構成要素を“含む”との記載は、特に反対の記載がない限り、他の構成要素を排除する意味ではなく、他の構成要素をさらに含むことができるという意味を有する。また、明細書に記載された“…部”、“…器”、“モジュール”などの用語は、少なくとも一つの機能や動作を処理する単位を意味し、これはハードウェア、ソフトウェア、またはハードウェアとソフトウェアとの結合で具現されることができる。
【００３９】
本発明の実施例では、サーキットチャネルに早期終了（ｅａｒｌｙ  ｔｅｒｍｉｎａｔｉｏｎ）手法を適用した場合に、早期終了手法の利得を向上させうる方法について説明する。
【００４０】
まず、本発明の実施例によって、パイロットチャネルの転送電力とトラフィックチャネルの転送電力との比（ｔｒａｆｆｉｃ  ｔｏ  ｐｉｌｏｔ  ｒａｔｉｏ：以下、“ＴＰＲ”という。）を変化させながらフレームを転送する方法に対して説明する。
【００４１】
ＴＰＲとは、トラフィックチャネルに割り当てられた電力に対するパイロットチャネルに割り当てられた電力の比率のことを意味する。すなわち、トラフィックチャネルに要求される性能を保障するために、トラフィックチャネルに割り当てられる電力を、パイロットチャネルに割り当てられる電力に対して一定の比率で維持するが、この場合のトラフィックチャネルとパイロットチャネルとの電力割当比率を表す値である。
【００４２】
ＴＰＲは、トラフィックチャネルの転送率、コーディング方式、転送フレーム期間によって異なってくる。例えば、ＣＤＭＡ２０００システムにおいて音声信号が９６００ＢＰＳで逆方向基本チャネル（ｒｅｖｅｒｓｅ  ｆｕｎｄａｍｅｎｔａｌ  ｃｈａｎｎｅｌ：Ｒ−ＦＣＨ）を通じて転送される時、ＴＰＲは３．７５ｄＢである。すなわち、パイロットチャネルの転送電力に比べてトラフィックチャネルの転送電力は、３．７５ｄＢだけ高い。
【００４３】
従来技術によると、ＴＰＲは、チャネル環境などの変化により変えてあげる必要がある場合を除いては一定に維持される。チャネル環境などの変化によりＴＰＲを変える必要がある場合には基地局が適当な値をまた選定して新しいＴＰＲ値を端末に知らせる。すなわち、あるフレーム内で固定された値が使われる。
【００４４】
本発明の実施例によるフレーム転送方法はチャネル及びシステム状況によりフレーム内の各スロット別に最適化されたＴＰＲを適用して各スロットのトラフィック信号を転送する。
【００４５】
図３は、本発明の実施例によるＴＰＲを変化させながらフレームを転送する方法の一例を示す図である。
【００４６】
図３に示すように、あるフレームの前部は、高いＴＰＲでトラフィックチャネルを転送し、後部は、低いＴＰＲでトラフィックチャネルを転送すると、早期終了手法の利点を生かすことができる。サーキットチャネルに早期終了手法を適用した場合に、受信端がデコーディングに成功した時点から送信端が該当のフレームの信号転送を中止するまでは、少なくとも２スロット以上の信号が余分に転送される。したがって、ＡＣＫフィードバックの可能性が高くなるフレームの後部のＴＰＲを低く設定し、余分に転送される信号の電力量を減らすことによって、全体システム干渉量を減らすことができる。
【００４７】
本発明の実施例によるＴＰＲを変化させながらフレームを転送する方法において、基地局はＴＰＲを様々な方法で変化させることができる。
【００４８】
まず、段階減少ＴＰＲ（ｓｔｅｐ  ｒｅｄｕｃｔｉｏｎ  ＴＰＲ）方法によると、１フレーム内でＴＰＲが２つの値を有し、最初のスロットからＮ番目のスロットまでは高いＴＰＲ値を使用し、Ｎ＋１番目のスロットから最後のスロットまでは低いＴＰＲ値を使用する。
【００４９】
従来技術によれば、転送データ率が９６００ＢＰＳである場合、普通のチャネル環境で１６個のスロットはいずれも、ＴＰＲを３．７５ｄＢとして使用するが、段階減少ＴＰＲ方法によると、最初の８スロットは、ＴＰＲを既存よりも１．５（１．７５ｄＢ）倍もさらに大きい５．５ｄＢとし、残り８スロットは、既存よりも５０％減少した０．７５ｄＢを使用することができる。
【００５０】
さらに、マルチ段階減少ＴＰＲ（ｍｕｌｔｉ−ｓｔｅｐ  ｒｅｄｕｃｔｉｏｎ  ＴＰＲ）方法によれば、１フレーム内でＴＰＲが３つ以上の値を有する。すなわち、１フレームのスロットは複数の区域に分けられ、最初の区域のスロットは最も高いＴＰＲ値を使用し、次の区域のスロットはその次に高いＴＰＲ値使用する形で順次に適用する。
【００５１】
図４は、本発明の実施例による２段階減少ＴＰＲ（２−ｓｔｅｐ  ｒｅｄｕｃｔｉｏｎ  ＴＰＲ）方法を示す図である。
【００５２】
図４に示すように、２段階減少ＴＰＲ方法によれば、１フレーム内でＴＰＲが３個の値を有し、１フレームのスロットは３個の区域に区分され、最初の区域のスロットは、最も高いＴＰＲ値を使用し、２番目の区域のスロットは、２番目に高いＴＰＲ値を使用し、３番目の区域のスロットは、最も低いＴＰＲ値を使用する。
【００５３】
次に、マルチ段階変更ＴＰＲ（ｍｕｌｔｉ−ｓｔｅｐ  ｖａｒｙｉｎｇ  ＴＰＲ）方法によれば、１フレーム内でＴＰＲが複数の値を有し、１フレームのスロットは、複数の区域に区分され、最初の区域のスロットは、最初ＴＰＲ値を使用し、次の区域のスロットは、その次のＴＰＲ値を使用する形で順次に適用する。
【００５４】
図５は、本発明の実施例によるマルチ段階変更ＴＰＲ方法の一例を示す図である。
【００５５】
図５で、１フレームのスロットは、８個の区域に分けられており、各領域は、２個のＰＣＧを含む。各区域のスロットは、各区域に適合するＴＰＲ値を使用する。図５で、フレームの初期には高いＴＰＲ値を使用し、ＰＣＧインデックスが増加するにつれて使用するＴＰＲ値も低くなり、フレーム後半部には再び高いＴＰＲ値を使用する。これは、フレーム初期には高いＴＰＲ値を使用して早期終了確率を増加させ、フレーム後半部で再び高いＴＰＲ値を使用してフレームの受信成功確率を増加させるためである。マルチ段階変更ＴＰＲ方法は、全てのＰＣＧに独立したＴＰＲを割り当てる方式にも拡張可能である。
【００５６】
基地局と端末はあらかじめ定められたＴＰＲのデフォルト値を知ってこの値を使用する。このとき、端末のチャネル環境などによってＴＰＲ値を変えなければならない場合には、基地局は、上位シグナリングを用いて端末に知らせる。ところが、マルチ段階変更ＴＰＲ方法によると、ＴＰＲ値が各区域ごとに定義されるので、各区域のＴＰＲ値を上位シグナリングを通じて端末に知らせる場合にはシグナリングオーバーヘッドが大きすぎになってしまう。そこで、本発明の実施例では、端末と基地局があらかじめ定められたＴＰＲ増加値セット（ＴＰＲ  ｂｏｏｓｔ  ｖａｌｕｅ  ｓｅｔ）を知っており、基地局が、修正されたＴＰＲＭＯＤ値とＴＰＲ増加値セットのインデックスを知らせる方法を提案する。
【００５７】
表１は、本発明の実施例によるＴＰＲ増加値セットの一例を表したものである。
【００５８】
【表１】
2011518460.tif 000003
【００５９】
表１のように端末と基地局間にＴＰＲ増加値セットが決定されている場合、基地局が、修正されたＴＰＲＭＯＤ値とＴＰＲ増加値セットのインデックスを知らせると、端末は、ｉ番目のＰＣＧのＴＰＲ（ｉ）を数学式１のように求めることができる。
【００６０】
（数１）
ＴＰＲ（ｉ）  ＝  ＴＰＲ＿ｂｏｏｓｔ（ｉ）  ＊  ＴＰＲＭＯＤ
【００６１】
ここで、ＴＰＲ＿ｂｏｏｓｔ（ｉ）は、表１においてｉ番目のＰＣＧのＴＰＲ＿ｂｏｏｓｔ値を表す。
【００６２】
次に、本発明の実施例によって順方向リンクで順方向電力制御サブチャネルの転送電力と順方向トラフィックチャネルの転送電力との比（Ｆ−ＴＣＨ  ｔｏ  Ｆ−ＰＣＳＣＨ  ｒａｔｉｏ、以下、“Ｆ−ＴＣＨ／Ｆ−ＰＣＳＣＨ電力比”という。）を変化させながらフレームを転送する方法について説明する。
【００６３】
順方向リンクのパイロットチャネルは共通チャネルであるから、電力制御の対象とされない。このため、順方向リンクの電力制御は、トラフィックチャネル（Ｆｏｒｗａｒｄ  Ｔｒａｆｆｉｃ  Ｃｈａｎｎｅｌ：以下、“Ｆ−ＴＣＨ”という。）の受信電力を直接電力制御しなければならない。ところが、トラフィックチャネルが音声サービスのように可変データレートのサービスをしている場合には、受信端が転送レートの不確実性によりトラフィックチャネルの受信電力を直接測定することは不可能である。
【００６４】
図６は、順方向リンクの電力制御方法を示す図である。
【００６５】
図６に示すように、基地局は、順方向リンクで端末にトラフィックチャネルとともに逆方向転送電力制御のためのＰＣＢフィードバックチャネルである順方向電力制御サブチャネル（Ｆｏｒｗａｒｄ  Ｐｏｗｅｒ  ｃｏｎｔｒｏｌ  ｓｕｂｃｈａｎｎｅｌ：以下、“Ｆ−ＰＣＳＣＨ”という。）を転送する。Ｆ−ＰＣＳＣＨは固定データレートを有するので、受信電力測定に直接使用することができる。Ｆ−ＴＣＨの転送電力は、Ｆ−ＴＣＨ／Ｆ−ＰＣＳＣＨ電力比で定義され、従来技術によれば、Ｆ−ＴＣＨ／Ｆ−ＰＣＳＣＨ電力比は、１フレーム内で維持される。端末は、Ｆ−ＰＣＳＣＨの受信電力を測定してあらかじめ知っているＦ−ＴＣＨ／Ｆ−ＰＣＳＣＨ電力比を用いて、Ｆ−ＴＣＨのデータ転送率が９６００ｂｐｓの場合における受信ビット当たりエネルギー対比雑音密度（Ｅｂ／Ｎｏ）を計算し、Ｅｂ／Ｎｏをセットポイントと比較して電力制御命令語（ｐｏｗｅｒ  ｃｏｎｔｒｏｌ  ｂｉｔ：以下、“ＰＣＢ”という。）を生成し、これを逆方向電力制御サブチャネル（Ｒｅｖｅｒｓｅ  Ｐｏｗｅｒ  Ｃｏｎｔｒｏｌ  Ｓｕｂｃｈａｎｎｅｌ：以下、“Ｒ−ＰＣＳＣＨ”という。）を通じて基地局に転送することで、Ｆ−ＴＣＨ及びＦ−ＰＣＳＣＨの転送電力を制御する。
【００６６】
図７は、本発明の実施例による順方向リンクの電力制御方法を示す図である。
【００６７】
本発明の実施例では、Ｆ−ＴＣＨ／Ｆ−ＰＣＳＣＨ電力比を、１フレーム内で可変させる。例えば、図７のように、データ率が９６００ＢＰＳであり、基準値が０ｄＢである場合、１−段階減少（１−ｓｔｅｐ  ｒｅｄｕｃｔｉｏｎ）方法を適用し、最初の８スロットではＦ−ＴＣＨ／Ｆ−ＰＣＳＣＨ電力比を基準値よりも１．５倍大きい１．７５ｄＢとし、残りの８スロットでは、基準値よりも５０％小さい−３ｄＢを用いて転送する。
【００６８】
すると、端末は、Ｆ−ＰＣＳＣＨの受信電力を測定し、ＦＬ−ＰＣＢの受信Ｅｂ／Ｎｏをセットポイントと比較して逆方向ＰＣＢ（ＲＬ−ＰＣＢ）を生成し、これを基地局に転送することによって順方向電力制御を行う。
【００６９】
そして、基地局は、１フレームのスロットを複数の領域に分け、各領域のＦ−ＴＣＨ／Ｆ−ＰＣＳＣＨ電力比をあらかじめ端末に知らせることができる。すると、端末は、各領域でＦ−ＰＣＳＣＨの受信電力を測定し、あらかじめ知っているその領域のＦ−ＴＣＨ／Ｆ−ＰＣＳＣＨ電力比を用いて、Ｆ−ＴＣＨのデータ転送率が９６００ｂｐｓの場合におけるＦ−ＴＣＨの受信ビット当たりエネルギー対比雑音密度（Ｅｂ／Ｎｏ）を計算し、Ｆ−ＴＣＨのＥｂ／Ｎｏをその領域のセットポイントと比較してＰＣＢを生成することもできる。
【００７０】
次に、本発明の実施例による外部電力制御ループ（Ｏｕｔｅｒ  ｐｏｗｅｒ  ｃｏｎｔｒｏｌ  ｌｏｏｐ）を制御する方法について説明する。
【００７１】
一般に、電力制御は、内部電力制御ループ（Ｉｎｎｅｒ  ｐｏｗｅｒ  ｃｏｎｔｒｏｌ  ｌｏｏｐ）と外部電力制御ループによって行われる。
【００７２】
内部電力制御ループとは、受信端で受信信号のエネルギーを測定し、あらかじめ定められたセットポイントに比べて受信信号のエネルギーが高いと、ダウン電力制御命令語を送信端に転送し、受信信号のエネルギーがセットポイントよりも低いと、アップ電力制御命令語を送信端に転送することで、電力制御を行うことをいう。外部電力制御とは、ターゲットＦＥＲ（ｔａｒｇｅｔ  ｆｒａｍｅ  ｅｒｒｏｒ  ｒａｔｅ）を満たすように、内部電力制御ループで使用するセットポイントを制御することをいう。
【００７３】
一般的な外部電力制御ループ制御方法によれば、ターゲットＦＥＲがＦの場合に、受信端は、フレームエラーが発生するとセットポイントをｘｄＢだけ増加させ、フレームを成功的にデコーディングすると、ｘ／（１−１／Ｆ）ｄＢだけセットポイントを減少させる。例えば、ターゲットＦＥＲが１％である場合に、受信端は、フレームエラーが発生するとセットポイントを１ｄＢだけ増加させ、フレームを成功的にデコーディングすると１／（１−１／０．０１）＝１／９９ｄＢだけセットポイントを減少させる。
【００７４】
この時、セットポイント増分であるｘｄＢのｘ値を大きく設定すると、チャネル環境の変化によって要求されるセットポイントが変更される場合に受信端が迅速にセットポイントを変更できるという長所があるが、要求されるセットポイントが安定していて変動がない環境では、使用されるセットポイントが、要求されるセットポイントの周囲で大きく揺れるという問題につながることがある。そして、瞬間的なバースト雑音によって続けてフレームエラーが発生した場合、使用されるセットポイントが、要求されるセットポイントよりも過度に高く設定されるため、再び要求されるセットポイントに戻るまで時間がかかることがある。
【００７５】
したがって、このような問題点を解決するために、本発明の実施例では、サーキットチャネルに早期終了手法を適用する場合に外部電力制御ループを制御する方法を提案する。
【００７６】
まず、本発明の第１実施例による外部電力制御ループを制御する方法について、図８及び９を参照して説明する。
【００７７】
早期終了手法によれば、受信端は、フレームの一部を受信した状態でデコーディングを試みるが、本発明の実施例では、デコーディング試み時点のうち、一つ以上のターゲットデコーディング試み時点を設定し、フレーム全体を受信した時点のターゲットＦＥＲを満たすようにターゲットデコーディング試み時点のターゲットＦＥＲを決定し、決定されたターゲットデコーディング試み時点のターゲットＦＥＲを満たすように内部電力制御ループのセットポイントを制御する。
【００７８】
例えば、フレーム全体を受信した時点のターゲットＦＥＲが１％であれば、ターゲットデコーディング試み時点のターゲットＦＥＲを２０〜５０％程度に設定することができ、ターゲットデコーディング試み時点のターゲットＦＥＲを満たすように内部電力制御ループのセットポイントを制御することができる。
【００７９】
図８は、本発明の第１実施例によって逆方向リンクの外部電力制御ループを制御する方法を示す図であり、図９は、本発明の第１実施例によって順方向リンクの外部電力制御ループを制御する方法を示す図である。
【００８０】
図８を参照すると、基地局は、フレーム全体を受信した時点のターゲットＦＥＲである最終ＦＥＲを満たすようにターゲットデコーディング試み時点のターゲットＦＥＲを制御する。そして、基地局は、ターゲットデコーディング試み時点のターゲットＦＥＲを満たすようにセットポイントを制御する。そして、基地局は、端末から信号を受信すると受信信号のエネルギーをセットポイントと比較して電力制御命令語を生成し、それを端末に転送する。
【００８１】
図９を参照すると、端末は、フレーム全体を受信した時点のターゲットＦＥＲである最終ＦＥＲを満たすようにターゲットデコーディング試み時点のターゲットＦＥＲを制御する。そして、端末は、ターゲットデコーディング試み時点のターゲットＦＥＲを満たすようにセットポイントを制御する。次に、端末は、基地局から信号を受信すると、受信信号のエネルギーをセットポイントと比較して電力制御命令語を生成し、それを基地局に転送する。
【００８２】
次に、本発明の第２実施例による外部電力制御ループを制御する方法について、図１０及び図１１を参照して説明する。
【００８３】
本発明の第２実施例によれば、受信端は、フレーム全体を受信した時点のターゲットＦＥＲを送信端に転送すると、送信端は、フレーム全体を受信した時点のターゲットＦＥＲを満たすようにターゲットデコーディング試み時点のターゲットＦＥＲを設定して受信端に転送する。すると、受信端は、受信したターゲットＦＥＲを満たすように内部電力制御ループのセットポイントを制御する。
【００８４】
音声データのようにデータレートが可変する場合には、ゼロデータ率（ｚｅｒｏ  ｄａｔａ  ｒａｔｅ）が存在する場合、すなわち、フレームに実質的にデータが転送されない場合がある。しかし、フレームのデコーディングに失敗した場合、受信端は、チャネルエラーによってフレームのデコーディングが失敗したのか、あるいは、転送データがないためフレームのデコーディングに失敗したのかを区別することができない。したがって、本発明の第２実施例では、受信端が一定時間の間に成功的にデコーディングされたフレームの個数を送信端に知らせると、送信端は、成功的にデコーディングされたフレームの個数を測定した時間の長さ、成功的にデコーディングされたフレームの個数、及びデータが転送されないフレームの個数を考慮して、フレーム全体を受信した時点のターゲットＦＥＲを満たすようにターゲットデコーディング試み時点のターゲットＦＥＲを設定し、それを受信端に知らせる。
【００８５】
図１０は、本発明の第２実施例によって逆方向リンクの外部電力制御ループを制御する方法を示す図であり、図１１は、本発明の第２実施例によって順方向リンクの外部電力制御ループを制御する方法を示す図である。
【００８６】
図１０を参照すると、基地局は、フレーム全体を受信した時点のターゲットＦＥＲである最終ＦＥＲ及び一定時間の間に成功的にデコーディングされたフレームの個数を端末に転送する。すると、端末は、成功的にデコーディングされたフレームの個数を測定した時間の長さ、成功的にデコーディングされたフレームの個数、及びデータが転送されないフレームの個数を考慮して、フレーム全体を受信した時点のターゲットＦＥＲを満たすようにターゲットデコーディング試み時点のターゲットＦＥＲを設定して基地局に知らせる。基地局は、受信したターゲットＦＥＲを満たすように内部電力制御ループのセットポイントを制御する。そして、基地局は、端末から信号を受信すると、受信信号のエネルギーをセットポイントと比較して電力制御命令語を生成して端末に転送する。
【００８７】
図１１を参照すると、端末は、フレーム全体を受信した時点のターゲットＦＥＲである最終ＦＥＲ及び一定時間の間に成功的にデコーディングされたフレームの個数を基地局に転送する。すると、基地局は、成功的にデコーディングされたフレームの個数を測定した時間の長さ、成功的にデコーディングされたフレームの個数、及びデータが転送されないフレームの個数を考慮して、フレーム全体を受信した時点のターゲットＦＥＲを満たすようにターゲットデコーディング試み時点のターゲットＦＥＲを設定して端末に知らせる。端末は、受信したターゲットＦＥＲを満たすように内部電力制御ループのセットポイントを制御する。そして、端末は、基地局から信号を受信すると、受信信号のエネルギーをセットポイントと比較して電力制御命令語を生成して基地局に転送する。
【００８８】
次に、本発明の第３実施例による外部電力制御ループを制御する方法について、図１２及び１３を参照して説明する。
【００８９】
本発明の第３実施例によれば、受信端が、フレーム全体を受信した時点のターゲットＦＥＲを送信端に転送すると、送信端は、フレーム全体を受信した時点のターゲットＦＥＲを満たすように送信信号のＴＰＲを補正する。
【００９０】
図１２は、本発明の第３実施例によって逆方向リンクの外部電力制御ループを制御する方法を示す図であり、図１３は、本発明の第３実施例によって順方向リンクの外部電力制御ループを制御する方法を示す図である。
【００９１】
図１２を参照すると、基地局は、フレーム全体を受信した時点のターゲットＦＥＲを端末に転送する。すると、端末は、フレーム全体を受信した時点のターゲットＦＥＲを満たすようにターゲットデコーディング試み時点のターゲットＦＥＲを計算し、基地局から受信したＡＣＫ／ＮＡＣＫでターゲットデコーディング試み時点のＦＥＲを計算する。そして、端末は、ＡＣＫ／ＮＡＣＫで計算したターゲットデコーディング試み時点のＦＥＲとターゲットＦＥＲとを比較して、転送信号のＴＰＲを補正する。
【００９２】
この時、基地局は、内部電力制御ループのセットポイントとしてはあらかじめ定義された値を使用する。
【００９３】
図１３を参照すると、端末は、フレーム全体を受信した時点のターゲットＦＥＲを基地局に転送する。すると、基地局は、フレーム全体を受信した時点のターゲットＦＥＲを満たすようにターゲットデコーディング試み時点のターゲットＦＥＲを計算し、端末から受信したＡＣＫ／ＮＡＣＫでターゲットデコーディング試み時点のＦＥＲを計算する。そして、基地局は、ＡＣＫ／ＮＡＣＫで計算したターゲットデコーディング試み時点のＦＥＲとターゲットＦＥＲとを比較して転送信号のＴＰＲを補正する。ここで、ＴＰＲは、Ｆ−ＴＣＨ／Ｆ−ＰＣＳＣＨ電力比を意味する。
【００９４】
この時、端末は、内部電力制御ループのセットポイントとしてはあらかじめ定義された値を使用する。
【００９５】
次に、本発明の実施例による確認応答（ａｃｋｎｏｗｌｅｄｇｅｍｅｎｔ／ｎｅｇａｔｉｖｅ  ａｃｋｎｏｗｌｅｄｇｅｍｅｎｔ：以下、“ＡＣＫ／ＮＡＣＫ”という。）転送方法について説明する。
【００９６】
サーキットチャネルに早期終了手法を適用するに当たって確認応答チャネル（Ａｃｋｎｏｗｌｅｄｇｍｅｎｔ  Ｃｈａｎｎｅｌ：以下、“ＡＣＫＣＨ”という。）の性能は重要である。確認応答エラーには、受信端がＡＣＫをＮＡＣＫと認識するＡＣＫ２ＮＡＣＫエラー、及びＮＡＣＫをＡＣＫと認識するＮＡＣＫ２ＡＣＫエラーがある。ＡＣＫ２ＮＡＣＫエラーが発生すると、送信端で該当のフレームの転送が早期終了されず、早期終了の利得を得ることができない。また、ＮＡＣＫ２ＡＣＫエラーが発生すると、該当のフレームが受信端で成功的にデコーディングされなかったにもかかわらずに送信端が該当のフレームの転送を早期終了させてしまい、ＦＥＲが増加する。
【００９７】
したがって、このような問題点を解決するために、本発明の実施例では、受信端がＡＣＫ／ＮＡＣＫを該当のフレームが完了するまで反復して転送する。
【００９８】
図１４は、本発明に実施例によってＡＣＫを反復して転送する場合を示す図であり、図１５は、本発明に実施例によってＮＡＣＫを反復して転送する場合を示す図である。
【００９９】
図１４及び１５では、順方向トラフィックに対するＡＣＫ／ＮＡＣＫについて示しているが、本発明は逆方向トラフィックに対するＡＣＫ／ＮＡＣＫについても適用することができる。
【０１００】
図１４に示すように、端末は、デコーディング試み時点にデコーディングを行って成功すると、ＡＣＫ信号を該当のフレーム完了時まで継続して基地局に転送する。したがって、ＡＣＫ２ＮＡＣＫエラーが発生した場合にも、次に転送されるＡＣＫ信号を基地局がエラーなしに受信するとフレーム転送を早期終了することができる。
【０１０１】
図１５に示すように、ＮＡＣＫ２ＡＣＫエラーが発生すると、基地局はＡＣＫを受信してフレームの転送を中止させ、以降、次に転送されるＮＡＣＫ信号をエラーなしに受信するとフレーム転送を再開する。
【０１０２】
次に、本発明の実施例によるデータレート指示方法について説明する。
【０１０３】
サーキットチャネルに早期終了手法を適用すると、受信端は、デコーディング試み時点の度にデコーディングを行う。したがって、フレームの最後に一回デコーディングを試みる場合に比べて受信器の複雑度が増加する。特に、トラフィックチャネルのデータレートが可変レート（ｖａｒｉａｂｌｅ  ｒａｔｅ）である場合、全てのデコーディング試み時点で可変レートセット中の全てのレートを仮定してブラインドレートデコーディング（ｂｌｉｎｄ  ｒａｔｅ  ｄｅｃｏｄｉｎｇ）を行わなければならない。
【０１０４】
早期終了手法の効果を向上させるためには、早い時間内にデコーディングを完了した後、ＡＣＫフィードバックを送信端に送り、それ以上の余分の転送を中止させなければならず、よって、受信器はデコーディングを迅速に行わねばならない。ところが、受信器が可変レートセット中の全レートを仮定してデコーディングを早い時間内に行う場合には、受信器の複雑度が増加する。
【０１０５】
したがって、本発明の実施例では、フレームのデータレートまたはデータレートサブセットを受信端に知らせる方法を提案する。
【０１０６】
図１６（ａ）は、順方向リンクで本発明の実施例によるデータレート指示方法を示す図であり、図１６（ｂ）は、逆方向リンクで本発明の実施例によるデータレート指示方法を示す図である。
ＡＣＫＳＣＨは、フレームの開始部分では使用される可能性がほとんどない。したがって、図１６（ａ）及び（ｂ）に示すように、フレームの開始部分ではＡＣＫＳＣＨのリソースをデータレートを指示するのに用いることができる。すなわち、フレームの開始部分にはＡＣＫＳＣＨのリソースをレート指示サブチャネル（Ｒａｔｅ  Ｉｎｄｉｃａｔｉｏｎ  Ｓｕｂｃｈａｎｎｅｌ：以下、“ＲＩＳＣＨ”という。）として使用することができる。本発明の実施例によれば、同一の無線リソースまたは同一のＣＤＭＡコードリソースが、フレームの前部ではＲＩＳＣＨとして使用され、フレームの後部では、ＡＣＫＳＣＨとして使用される。
【０１０７】
音声サービスのデータを転送する場合、ＣＤＭＡ２０００システムを挙げて説明すると、トラフィックチャネルのデータレートは９６００ｂｐｓ、４８００ｂｐｓ、２４００ｂｐｓ、１２００ｂｐｓ、０ｂｐｓを含む５個の可変デートレートを有する。この場合、デートレートは表２のように表すことができる。表２は、データレート別ＲＩＳＣＨを通じて転送される変調シンボル（ｍｏｄｕｌａｔｉｏｎ  ｓｙｍｂｏｌ）の一例を表す。すなわち、送信端は、表２のうち、フレームのデータレートに対応するシンボルを受信端に転送して、受信端にフレームのデータレートを知らせる。
【０１０８】
【表２】
2011518460.tif 000004
【０１０９】
また、送信端は、ＲＩＳＣＨを、表３または４のように変調することもできる。表３は、データレート別ＲＩＳＣＨを通じて転送される変調シンボルの他の例を表し、表４は、データレート別ＲＩＳＣＨを通じて転送される変調シンボルのさらに他の例を表す。
【０１１０】
【表３】
2011518460.tif 000005
【０１１１】
【表４】
2011518460.tif 000006
【０１１２】
表３または４のように、複数のデータレートを同一のシンボルに変調すると、ＲＩＳＣＨに転送過程でエラーが生じた場合にも、受信端では信号を正確に変調する可能性が高くなる。受信器は、最も高いデータレートをデコーディングできるので、同時に複数個の低いデータレートをブラインドレートデコーディングすることができる。
【０１１３】
表４は、音声サービスの場合、発生頻度の最も高い９６００ｂｐｓと０ｂｐｓに変調シンボル０を割り当てており、ＲＩＳＣＨ転送電力のオーバーヘッドを減らすことができる。
【０１１４】
送信端が、表１乃至表３に示すように、変調シンボルをＲＩＳＣＨを通じて受信端に転送すると、受信端は、変調シンボルに対応するデータレートを仮定してデコーディング試み時点にデコーディングを行う。そして、デコーディング試み時点にデコーディングに失敗すると、受信端は、フレーム全体を受信した後に全てのデータレートセットに対してブラインドレートデコーディングを行う。
【０１１５】
ＲＩＳＣＨにエラーが発生する場合、ＲＩＳＣＨがフレームの前部に転送されるから、フレームの前部がフェーディング（ｆａｄｉｎｇ）される。しかし、フレームの前部がフェーディングされた場合にはフレームの早期終了が発生する確率が減り、よって、ＲＩＳＣＨのエラーによるトラフィックチャネルの性能劣化はほとんどない
【０１１６】
次に、本発明の実施例による否定的ＮＡＣＫ（ｎｅｇａｔｉｖｅ  ＮＡＣＫ）を用いた緊急電力制御方法について説明する。
【０１１７】
サーキットチャネルに早期終了手法を適用する場合、ＡＣＫＳＣＨは、転送電力のオーバーヘッドを減らすために、ＡＣＫは変調シンボル１として転送され、ＮＡＣＫは変調シンボル０として転送される。すなわち、ＮＡＣＫである場合、ＡＣＫＳＣＨに転送される信号の電力は０であるから、ＡＣＫＳＣＨの転送電力のオーバーヘッドを減らすことができる。
【０１１８】
本発明の実施例では否定的ＮＡＣＫを転送することを提案する。本発明の実施例によれば、ＡＣＫは変調シンボル１として転送され、ＮＡＣＫは変調シンボル０として転送され、否定的ＮＡＣＫは変調シンボル−１として転送される。
【０１１９】
否定的ＮＡＣＫは、緊急電力制御のために使用することができる。
【０１２０】
一例として、受信端は、デコーディング試み時点にトラフィックチャネルの受信エネルギーを測定して、フレームの受信エネルギーが、フレーム終了時点にフレームを成功的に受信するために要求されるエネルギーを満たさないと判断すると、否定的ＮＡＣＫを送信端に転送することで、送信端がトラフィックチャネルの転送電力を増加させるようにすることができる。
【０１２１】
他の例として、受信端に受信された信号のエネルギーが電力制御のセットポイントに比べてあらかじめ定められたレベル以上と低い場合に、受信端は、否定的ＮＡＣＫを送信端に転送し、否定的ＮＡＣＫを受信した送信端は、転送電力をＰＣ＿ＵＰ＿ＳＩＺＥ＋ＢＯＯＳＴ＿ＵＰ［ｄＢ］だけ増加させる。
すなわち、受信端は、電力制御基準チャネル（ｒｅｆｅｒｅｎｃｅ  ｃｈａｎｎｅｌ）の受信エネルギー（Ｒｘ＿Ｐｗｒ）が、電力制御のセットポイントに比べてあらかじめ定められたレベル（Ｂｏｏｓｔ＿Ｔｈ）以上と低い場合（Ｒｘ＿Ｐｗｒ＜（ｓｅｔｐｏｉｎｔ−Ｂｏｏｓｔ＿Ｔｈ））には、否定的ＮＡＣＫを送信端に転送する。この時、一般的な電力制御過程において受信エネルギーがセットポイントよりも小さいので（Ｒｘ＿Ｐｗｒ＜ｓｅｔｐｏｉｎｔ）、アップ電力制御命令語が送信端に転送される。送信端は、通常、アップ電力制御命令語を受信するとＰＣ＿ＵＰ＿ＳＩＺＥだけ転送電力を増加させるが、アップ電力制御命令語と否定的ＮＡＣＫを共に受信すると、ＰＣ＿ＵＰ＿ＳＩＺＥ＋ＢＯＯＳＴ＿ＵＰ［ｄＢ］だけ転送電力を増加させる。
【０１２２】
または、ＰＣＢフィードバックチャネルよりもＡＣＫ／ＮＡＣＫフィードバックチャネルをより信頼できる（ｒｅｌｉａｂｌｅ）場合には、送信端は、否定的ＮＡＣＫを受信すると、受信した電力制御命令語は無視し、ＰＣ＿ＵＰ＿ＳＩＺＥ＋ＢＯＯＳＴ＿ＵＰ［ｄＢ］だけ転送電力を増加させることもできる。
【０１２３】
そして、端末がハンドオーバー状況で２つの基地局から電力制御命令語を受けて逆方向チャネルの電力制御をしている場合には、本発明の実施例によれば、端末は一定の時間間隔（ｗｉｎｄｏｗ）内に両基地局から否定的ＮＡＣＫを受信すると、ＰＣ＿ＵＰ＿ＳＩＺＥ＋ＢＯＯＳＴ＿ＵＰ［ｄＢ］だけ転送電力を増加させる。
【０１２４】
次に、本発明の実施例によるソフトハンドオフ環境におけるデータ送受信方法について説明する。
【０１２５】
従来技術によれば、ソフトハンドオフ環境において端末は複数の基地局から同一情報を受信するので、早期終了の長所を生かすことができない。したがって、本発明の実施例では、ソフトハンドオフ環境にある端末と通信している複数の基地局のそれぞれが、互いに異なるパターンやコードを用いてデータを転送することによって、ハンドオフ環境で早期終了の利得を向上させることができるデータ送受信方法を提案する。
【０１２６】
ソフトハンドオフ環境にある端末と通信している複数の基地局が、それぞれ異なるパターンやコードを用いてデータを転送し、端末は。異なるパターンやコードを結合することによって高いコーディング利得を得ることを、コード結合ソフトハンドオフ（ｃｏｄｅ  ｃｏｍｂｉｎｉｎｇ  ｓｏｆｔ  ｈａｎｄｏｆｆ）という。
【０１２７】
まず、本発明の第１実施例によるソフトハンドオフ環境におけるデータ送受信方法について説明する。
【０１２８】
本発明の第１実施例によれば、ソフトハンドオフ環境にある端末と通信している複数の基地局は、同一情報を含んでいるトラフィックチャネルを転送する時、チャネルコーディングされた符号化ビットの転送順序を互いに異ならせて早期終了手法の利得を向上させる。図１７及び図１８を参照して、ソフトハンドオフ環境にある端末と通信している基地局が２つである場合を挙げて説明する。
【０１２９】
図１７（ａ）は、本発明の第１実施例による第１基地局の構成図であり、図１７（ｂ）は、本発明の第１実施例による第２基地局の構成図である。
【０１３０】
図１７（ａ）及び図１７（ｂ）に示すように、本発明の第１実施例による基地局は、巡回冗長検査（ｃｙｃｌｉｃ  ｒｅｄｕｎｄａｎｃｙ  ｃｈｅｃｋ：以下、“ＣＲＣ”という。）及びテールビット（ｔａｉｌ  ｂｉｔｓ）追加部（ａｄｄ  ＣＲＣ  ＆  ｔａｉｌ  ｂｉｔｓ）１７１、エンコーダ（ｅｎｃｏｄｅｒ）１７２、レートマッチング部（ｒａｔｅ  ｍａｔｃｈｉｎｇ）１７３、循環移動部（ｃｙｃｌｉｃ  ｓｈｉｆｔｅｒ）を含むインターリーバー（ｉｎｔｅｒｌｅａｖｅｒ）１７４及びスプレッド及び変調部（ｓｐｒｅａｄｅｒ  ＆  ｍｏｄｕｌａｔｏｒ）１７５を含む。
【０１３１】
ＣＲＣ及びテールビット追加部１７１は、情報ビット列が入力されると、情報ビット列にＣＲＣ及びテールビットを追加し、エンコーダ１７２は、情報ビット列をＦＥＣエンコーディングする。
【０１３２】
レートマッチング部１７３は、エンコーディングされた情報ビット列をチャネルの転送ビットにマッチさせるレートマッチングを行う。すなわち、レートマッチングは、毎転送単位時間（Ｔｒａｎｓｍｉｓｓｉｏｎ  Ｔｉｍｅ  Ｉｎｔｅｒｖａｌ：ＴＴＩ）こどに転送するデータの量と実際チャネルの最大転送量とをマッチさせる作業である。
【０１３３】
インターリーバー１７４は、情報ビット列の順序を一定単位で再配列する既存のインターリービング及びインターリービングされたシーケンスを循環移動させ、スプレッド及び変調部１７５は、循環移動したシーケンスをスプレッディング及び変調する。変調されたシーケンスは、転送アンテナを通じて転送される。
【０１３４】
インターリーバー１７４は、あらかじめ定められた循環移動値（ｃｙｃｌｉｃ  ｓｈｉｆｔ  ｖａｌｕｅ）だけシーケンスを移動させ、本発明の第１実施例において第１基地局と第２基地局の循環移動値は互いに異なる。インターリーバーから出力されたシーケンスがｂ０，ｂ１，…，ｂＮ−１であり、循環移動部の循環移動値がａであれば、循環移動部から出力されたビットシーケンスは、ｂａ，ｂａ＋１，…，ｂＮ−１，ｂ０，ｂ１，…，ｂａ−１となる。ここで、Ｎは、インターリーバーから出力されたシーケンスの長さである。
【０１３５】
例えば、ＣＤＭＡ２０００システムでハンドオフ環境にある端末が２つの基地局と通信しており、２つの基地局が、順方向リンクで転送する情報ビットをコーディング率１／２でＦＥＣチャネルコーディングする場合、第１基地局の循環移動部の循環移動値が０であり、第２基地局の循環移動部の循環移動値がＮ／２であれば、第１基地局の循環移動部から出力されたビットシーケンスは、ｂ０，ｂ１，…，ｂＮ−１であり、第２基地局の循環移動部から出力されたビットシーケンスは、ｂＮ／２，ｂＮ／２＋１，…，ｂＮ／２−１である。したがって、第１基地局は、ｂ０，ｂ１，…，ｂＮ−１の順序でデータを転送し、第２基地局は、ｂＮ／２，ｂＮ／２＋１，…，ｂＮ／２−１の順序でデータを転送する。すると、ハンドオフ環境にある端末は、２０ｍｓフレームの１／２を受信するだけでシーケンス（ｂ０，ｂ１，…，ｂＮ−１）全体を受信することとなり、２０ｍｓフレームの１／２のみを受信すると受信コーディング率は１／２となり、２０ｍｓフレームの１／２を受信した時点のデコーディング成功可能性が高くなる。そして、２０ｍｓフレームの１／４以上１／２以下を受信した状態におけるデコーディング成功可能性も高くなる。
【０１３６】
そして、順方向リンクで基地局が、転送する情報ビットをコーディング率１／２でＦＥＣチャネルコーディングすると、一つの情報ビットは２つのパリティビット（ｐａｒｉｔｙ  ｂｉｔ）に変形され、インターリーバーによりインターリービングされた第１パリティシーケンスとインターリービングされた第２パリティシーケンスが順次に転送される。このような転送方式に本発明の第１実施例を適用すると、ハンドオフ環境下の端末に、第１基地局は、インターリービングされた第１パリティシーケンスを転送した後、インターリービングされた第２パリティシーケンスを転送し、第２基地局は、インターリービングされた第２パリティシーケンスを転送した後、インターリービングされた第１パリティシーケンスを転送する。
【０１３７】
順方向リンクで逆方向電力制御のための電力制御命令語を送るために、一部のトラフィックチャネルの符号化ビットがパンクチャリング（ｐｕｎｃｔｕｒｉｎｇ）され、電力制御命令語を送るためのＦ−ＰＣＳＣＨが挿入される。ハンドオフ環境にある端末と通信している複数の基地局が転送するビットシーケンスを循環移動させないと、複数の基地局がＦ−ＰＣＳＣＨを転送するためにパンクチャリングするトラフィックチャネルの位置が同一なため、複数の基地局のそれぞれで同一の符号化ビットがパンクチャリングされる。しかし、本発明の第１実施例のように、複数の基地局のそれぞれが、転送するビットシーケンスをそれぞれ異なる循環移動値だけ循環移動させると、Ｆ−ＰＣＳＣＨを転送するためにパンクチャリングされるトラフィックチャネルの位置が各基地局こどに異なってくるので、追加的なコーディング利得を得ることができる。
【０１３８】
図１７に示すように、インターリーバー１７４が循環移動部を含むこともでき、インターリーバーと循環移動部は、別の構成要素として基地局に具現されることもできる。インターリーバー１７４が循環移動部を含む場合には、ハンドオフ環境にある端末と通信している複数の基地局のそれぞれが、異なるインターリーバーパターンを用いてシーケンスの順序をそれぞれ異ならせて転送することができる。
【０１３９】
例えば、ハンドオフ環境にある端末と通信している基地局が２個である場合、第１基地局は、第１インターリーバーパターンを用い、第２基地局は第２インターリーバーパターンを用いることができる。この場合、第２インターリーバーパターンを用いてインターリービングされたシーケンスは、第１パターンを用いてインターリービングされたシーケンスを循環移動させたものである。
【０１４０】
インターリーバーの出力シーケンス長をＮとする時、第２パターンを用いてインターリービングされたシーケンスが、第１パターンを用いてインターリービングされたシーケンスをＮ／２だけ循環移動させたものである場合、第１パターンを用いてインターリービングされたシーケンスがｂ０，ｂ１，…，ｂＮ−１であれば、第２パターンを用いてインターリービングされたシーケンスはｂＮ／２，ｂＮ／２＋１，…，ｂＮ／２−１となる。
【０１４１】
すなわち、ハンドオフ環境にある端末と通信している基地局が２個である場合、第１基地局の循環移動値は０であり、第２基地局の循環移動値はＮ／２となりうる。
【０１４２】
そして、ハンドオフ環境にある端末と通信している基地局が２個以上である場合、基地局のそれぞれの循環移動値は０またはＮ／２となりうる。
【０１４３】
一方、様々な循環移動値も考慮可能である。例えば、１／２の倍数ではなく、１／４の倍数として循環移動値を定めることも可能である。すなわち、ハンドオフ環境にある端末と通信している基地局が２個以上である場合、４個の基地局のそれぞれの循環移動値を｛０，Ｎ／４、２＊Ｎ／４、３＊Ｎ／４｝のうちの一つとすることができる。
【０１４４】
ハンドオフ環境にある端末と通信する基地局が変更される場合、基地局は端末にハンドオーバー指示メッセージ（ｈａｎｄｏｖｅｒ  ｄｉｒｅｃｔｉｏｎ  ｍｅｓｓａｇｅ）を転送する時、追加される基地局が使用する循環移動値及び新しく割り当てられたデコーディング試み時点を知らせる。
【０１４５】
図１８は、本発明の第１実施例による端末の構成図である。
【０１４６】
図１８に示すように、本発明の第１実施例による端末は、高周波及びアナログデジタル変換器（ｒａｄｉｏ  ｆｒｅｑｕｅｎｃｙ  ＆  ａｎａｌｏｇ−ｔｏ−ｄｉｇｉｔａｌ  ｃｏｎｖｅｒｔｅｒ、ＲＦ  ＆  ＡＤ  ｃｏｎｖｅｒｔｅｒ）１８１、第１基地局に対するデスプレッド及び復調部（ｄｅｓｐｒｅａｄｅｒ  ＆  ｄｅｍｏｄｕｌａｔｏｒ  ｆｏｒ  ＢＳ１）１８２ａ、第１基地局に対する循環移動部（ｃｙｃｌｉｃ  ｓｈｉｆｔｅｒ  ｆｏｒ  ＢＳ１）を含む第１基地局に対するデインターリーバー（ｄｅｉｎｔｅｒｌｅａｖｅｒ）１８３ａ、第２基地局に対するデスプレッド及び復調部（ｄｅｓｐｒｅａｄｅｒ  ＆  ｄｅｍｏｄｕｌａｔｏｒ  ｆｏｒ  ＢＳ２）１８２ｂ、第２基地局に対する循環移動部（ｃｙｃｌｉｃ  ｓｈｉｆｔｅｒ  ｆｏｒ  ＢＳ２）を含む第２基地局に対するデインターリーバー（ｄｅｉｎｔｅｒｌｅａｖｅｒ）１８３ｂ、両基地局からデインターリービングされた情報を結合する混合器（ｃｏｍｂｉｎｅｒ）１８４、及びデコーダバッファー（ｄｅｃｏｄｅｒ  ｂｕｆｆｅｒ）１８５を含む。
【０１４７】
高周波及びアナログデジタル変換器１８１は、受信したアナログ信号をデジタルに変換する。第１基地局に対するデスプレッド及び復調部１８２ａは、第１基地局から受信した信号をデスプレッド及び復調し、第１基地局に対する循環移動部を含む第１基地局に対するデインターリーバー１８３ａは、第１基地局から受信した信号を第１基地局の循環移動値を考慮して循環移動させ、循環移動した受信信号をデインターリービングする。ここで、循環移動部とデインターリーバー１８３ａは、別々の構成要素として端末に具現することも可能である。
【０１４８】
そして、第２基地局に対するデスプレッド及び復調部１８２ｂは、第２基地局から受信した信号をデスプレッド及び復調し、第２基地局に対する循環移動部を含む第２基地局に対するデインターリーバー１８３ｂは、第２基地局から受信した信号を第１基地局の循環移動値を考慮して循環移動させ、循環移動した受信信号をデインターリービングする。ここで、循環移動部とデインターリーバー１８３ｂは、別々の構成要素として端末に具現することもできる。
【０１４９】
そして、デインターリービングされた第１基地局の信号及びデインターリービングされた第２基地局の信号は、混合器１８４で一つの信号として結合された後、デコーディングバッファー１８５に保存される。このように、端末は、デインターリービングされた第１基地局の信号及びデインターリービングされた第２基地局の信号を結合してデコーディングする。端末は、フレーム全体を受信する前に、フレーム受信の途中でデータデコーディングを試みてデータ受信に成功すると、ＡＣＫを逆方向ＡＣＫチャネル（ｒｅｖｅｒｓｅ  ａｃｋｎｏｗｌｅｄｇｅ  ｃｈａｎｎｅｌ）を通じて基地局に転送し、ＡＣＫを受信した基地局は、該当のフレームの転送を中止する。ここで、基地局は、端末がデコーディングを試みる時点を当該端末に知らせることができる。本発明の第１実施例のように、端末が第１基地局の信号及び第２基地局の信号を結合してデコーディングすると、早期終了可能性を向上させることができる。
【０１５０】
次に、本発明の第２実施例によるソフトハンドオフ環境におけるデータ送受信方法について説明する。
【０１５１】
本発明の第２実施例によれば、ソフトハンドオフ環境にある端末と通信している２つ以上の基地局は、畳み込みコード（ｃｏｎｖｏｌｕｔｉｏｎａｌ  ｃｏｄｅ）を用いて転送するデータをＦＥＣチャネルコーディングし、これら２つ以上の基地局のそれぞれは、異なる畳み込みコード生成多項式（ｇｅｎｅｒａｔｉｎｇ  ｐｏｌｙｎｏｍｉａｌ）を使用し、端末は、２つ以上の基地局から受信した信号を結合してデコーディングし、これにより、コーディング率が一つの基地局のコーディング率よりも低くなる効果を奏し、早期終了手法の利得を向上させることができる。
【０１５２】
図１９は、本発明の第２実施例によるソフトハンドオフ環境におけるデータ送受信方法を示す図である。
【０１５３】
図１９を参照すると、ソフトハンドオフ環境にある端末が２つの基地局と通信中であり、２つの基地局は、コーディング率１／２の畳み込みコードを用いて転送するデータをＦＥＣチャネルコーディングし、第１基地局と第２基地局が使用する畳み込みコード生成多項式は互いに異なる。ここで、端末は、第１基地局と第２基地局のそれぞれから受信した信号を結合してデコーディングするので、コーディング率１／４のような効果を奏し、フレームの１／２以下を受信した状態におけるデコーディング成功確率が増加する。
【０１５４】
基地局のコーディング率が１／２であり、フレーム長が２０ｍｓである場合、ソフトハンドオフ環境に置かれていない端末は、フレームの１／２以下を受信した状態でデコーディング成功確率は０であるから、１０ｍｓ以上に位置したデコーディング試み時点が基地局から割り当てられる。ところが、ソフトハンドオフ領域に置かれていない端末がソフトハンドオフ領域に移動して複数の基地局と通信するようになると、この端末には、１０ｍｓ以内に位置するデコーディング試み時点がさらに割り当てられる。
【０１５５】
そして、ハンドオフ環境にある端末と通信する基地局が変更される場合、基地局は、端末にハンドオーバー指示メッセージ（ｈａｎｄｏｖｅｒ  ｄｉｒｅｃｔｉｏｎ  ｍｅｓｓａｇｅ）を転送する時、追加される基地局が使用する循環移動値及び新しく割り当てられたデコーディング試み時点を知らせる。または、ハンドオフ環境にある端末と通信する基地局の個数によってデコーディング試み時点をあらかじめ定めておき、端末は、あらかじめ定められたデコーディング試み時点にデコーディングを試みることもできる。
【０１５６】
本発明の第２実施例でハンドオフ環境にある端末が２つの基地局と通信中している場合、２つの基地局が使用する畳み込みコードをデザインする方法について説明する。
【０１５７】
図２０（ａ）は、生成多項式が（５６１，７５３）である畳み込みコードのエンコーダ構造、及び生成多項式が（５５７，７５１）である畳み込みコードのエンコーダ構造を示す図であり、図２０（ｂ）は、２つの畳み込みコードが結合されたエンコーダの構造を示す図である。
【０１５８】
異なる生成多項式を有する２つの畳み込みコードは、入力シーケンスが同一であっても異なるコードワードを生成する。しかし、図２０（ｂ）に示すように、異なる生成多項式を有する２つの畳み込みコードは、低いコーディング率を有する一つの畳み込みコードとして結合することができる。
【０１５９】
ソフトハンドオフ環境にある端末と通信している２つの基地局が、コーディング率１／２の畳み込みコードを使用するとすれば、端末は、２つの基地局から受信したそれぞれ異なるコードを結合するので、コーディング率１／４のような効果を奏する。したがって、コーディング率１／４の結合された畳み込みコードの性能が良好となるように、２つの基地局の使用する生成多項式を決定しなければならない。
【０１６０】
そして、ハンドオフ過程の直前と直後には端末が一つの基地局と通信するので、２つの基地局のそれぞれが使用するコーディング率１／２の畳み込みコードの性能も良好となるように生成多項式を決定しなければならない。すなわち、ハンドオフ過程に進入する前に端末はサービング基地局と通信し、ハンドオフ過程でサービング基地局及びターゲット基地局と通信し、ハンドオフ過程が終わった後、ターゲット基地局と通信するので、２つの基地局のそれぞれが使用するコーディング率１／２の畳み込みコードの性能が、コーディング率１／４の結合された畳み込みコードの性能と同じくらい重要である。
【０１６１】
ところが、コーディング率１／４の時におけるコーディング利得が、コーディング率１／２の時よりも遥かに高いということを考慮すると、２つの基地局のそれぞれが使用するコーディング率１／２の畳み込みコードの性能を優先的に考慮しなければならない。
【０１６２】
したがって、本発明の第２実施例で２つの基地局が使用する畳み込みコードをデザインする基準は、まず第一、２つの基地局のそれぞれが使用するコーディング率１／２の畳み込みコードの性能が良好でなければならなく、第二に、コーディング率１／４の結合された畳み込みコードの性能も可能な限り良好でなければならない。
【０１６３】
表５は、コーディング率が１／２であり、制約長（ｃｏｎｓｔｒａｉｎｔ  ｌｅｎｇｔｈ）がＫ＝９の生成多項式を表す。
【０１６４】
【表５】
2011518460.tif 000007
【０１６５】
表５の生成多項式のうち、最も優れた性能の生成多項式は、（５６１，７５３）である。したがって、生成多項式（５６１，７５３）を選択し、生成多項式（５６１，７５３）を生成多項式（５５７，７５１）と組み合わせる場合と、生成多項式（５６１，７５３）を生成多項式（５１５，６７７）と組み合わせる場合について説明する。
【０１６６】
表６は、生成多項式の組み合わせを表す。
【０１６７】
【表６】
2011518460.tif 000008
【０１６８】
図２１は、コーディング率１／２のコードのそれぞれ及び結合されたコーディング率１／４のコードのビットエラー率（ｂｉｔ  ｅｒｒｏｒ  ｒａｔｅ：ＢＥＲ）の上限を示す図である。
【０１６９】
図２１で、コーディング率が１／４の場合には、３ＧＰＰ２＋Ｊｏｈａｎｎｅｓｓｏｎの性能がやや劣るが、コーディング率が１／２の場合は、３ＧＰＰ２＋Ｊｏｈａｎｎｅｓｓｏｎの性能が最も良好であることがわかる。１／４の３ＧＰＰ２＋Ｊｏｈａｎｎｅｓｓｏｎコードの性能が、コーディング率１／４の場合に最も優れた性能を示す１／４の３ＧＰＰ２コードに比べてほとんど変わらないことがわかる。したがって、本発明の第２実施例の基準によれば、３ＧＰＰ２＋Ｊｏｈａｎｎｅｓｓｏｎコードが選択される。
【０１７０】
次に、本発明の第３実施例によるソフトハンドオフ環境におけるデータ送受信方法について説明する。
【０１７１】
本発明の第３実施例によれば、ソフトハンドオフ環境にある端末と通信している複数の基地局は、転送するデータをレートマッチングする時、それぞれ異なるレートマッチングパターンを用いて追加的なコーディング利得及び早期終了手法の利得を向上させる。
【０１７２】
図２２は、本発明の第３実施例による基地局の構成図である。
【０１７３】
図２２に示すように、本発明の第３実施例による基地局は、ＣＲＣ及びテールビット追加部（ａｄｄ  ＣＲＣ  ＆  ｔａｉｌ  ｂｉｔｓ）２２１、エンコーダ（ｅｎｃｏｄｅｒ）２２２、レートマッチング部（ｒａｔｅ  ｍａｔｃｈｉｎｇ）２２３、インターリーバー（ｉｎｔｅｒｌｅａｖｅｒ）２２４及びスプレッド及び変調部（ｓｐｒｅａｄｅｒ  ＆  ｍｏｄｕｌａｔｏｒ）２２５を含む。
【０１７４】
ＣＲＣ及びテールビット追加部２２１は、情報ビット列が入力されると情報ビット列にＣＲＣ及びテールビットを追加し、エンコーダ２２２は、情報ビット列をＦＥＣエンコーディングする。レートマッチング部２２３は、エンコーディングされた情報ビット列をチャネルの転送ビットにマッチさせるレートマッチングを行う。すなわち、レートマッチングは、毎転送単位時間（Ｔｒａｎｓｍｉｓｓｉｏｎ  Ｔｉｍｅ  Ｉｎｔｅｒｖａｌ：ＴＴＩ）ごとに転送するデータの量と実際チャネルの最大転送量とをマッチさせる作業である。この時、ハンドオフ環境にある端末と通信している複数の基地局はそれぞれ異なるレートマッチングパターンを用い、よって、複数の基地局のそれぞれが転送するシーケンスはそれぞれ異なってくる。
【０１７５】
インターリーバー２２４は、情報ビット列の順序を一定単位で再配列するインターリービングを行い、スプレッド及び変調部２２５は、ビットシーケンスをスプレッディング及び変調する。変調されたビットシーケンスは、ＲＦ端を通過してアンテナから転送される。
【０１７６】
次に、本発明の実施例による無線構成（ｒａｄｉｏ  ｃｏｎｆｉｇｕｒａｔｉｏｎ）について説明する。
【０１７７】
以上の音声容量向上手法を無線通信システムに適用すると、無線通信システムが収容可能な最大ユーザ数が増加する。しかし、ＣＤＭＡシステムの順方向リンクでトラフィックチャネルはウォルシュコード（ｗａｌｓｈ  ｃｏｄｅ）により区分されるので、ＣＤＭＡシステムで支援できるトラフィックチャネルの個数は、ウォルシュコードの個数に制約される。ＣＤＭＡ２０００システムの順方向リンクで、それぞれの音声トラフィックチャネルは、長さ１２８のウォルシュコードにより定義されるので、準直交コード（Ｑｕａｓｉ−ｏｒｔｈｏｇｏｎａｌ  ｃｏｄｅ）でコード拡張をしない限り、１．２５ＭＨｚの順方向リンクで最大支援可能な音声トラフィックチャネルは１２８個を越えることができない。
【０１７８】
端末がハンドオフ領域にあると、複数の基地局からトラフィックチャネルが割り当てられるので、複数の基地局のそれぞれのウォルシュコードリソースを使用することとなる。すなわち、端末が、Ｎ個のセクターがアクティブセクター（ａｃｔｉｖｅ  ｓｅｃｔｏｒｓ）と設定されているＮウェイ（Ｎ−ｗａｙ）ハンドオーバー領域にあると、Ｎ個のセクターのそれぞれから長さ１２８のウォルシュコードが割り当てられる。
【０１７９】
全ての端末がノンハンドオーバー（ｎｏｎ−ｈａｎｄｏｖｅｒ）領域にあるとすれば、セクター当たり１．２５ＭＨｚ帯域で最大１２８名のユーザを収容できるが、全ての端末が２−ウェイハンドオーバー領域にあるとすれば、セクター当たり１．２５ＭＨｚ帯域で実質的に収容したユーザは、最大６４名に減る。すなわち、ハンドオーバー領域にある端末が多いほど、ハンドオーバー領域のアクティブセクターの個数が多いほど、セクター当たり実質的に収容できる最大ユーザ数は減る。
【０１８０】
本発明の実施例では、ハンドオーバー時に過度に要求されるウォルシュコードリソースを節約するために、ウォルシュコードを時分割して基本チャネルを形成し、各単位でチャネル割当を行う。したがって、既存のサーキットチャネルは、ウォルシュコード長によるウォルシュコードインデックスにより定義されるが、本発明の実施例において基本チャネルは、ウォルシュコード長によるウォルシュコードインデックスと時間インデックス（ｔｉｍｅ  ｉｎｄｅｘ）により定義される。
【０１８１】
一例として、一つのウォルシュコードインデックスの偶数番目のＰＣＧで一つの基本チャネルを定義し、奇数番目のＰＣＧで他の基本チャネルを定義すると、一つのウォルシュコードで２つの基本チャネルを定義することができる。
【０１８２】
他の例として、一つのウォルシュコードインデックスの２０ｍｓフレームの前半１０ｍｓで一つの基本チャネルを定義し、２０ｍｓフレームの後半１０ｍｓで他の基本チャネルを定義すると、一つのウォルシュコードで２つの基本チャネルを定義することができる。
【０１８３】
または、一つのウォルシュコードを時分割して３個以上の基本チャネルを定義することも可能である。
【０１８４】
一つのウォルシュコードを時分割して複数の基本チャネルを定義すると、基本チャネルのそれぞれは、１以上の転送コーディング率を有することができる。この場合、受信端がデータを成功的に受信するためには、転送端が同一のデータを複数の基本チャネルに転送することで受信端における結合されたコーディング率を１よりも低くする。
【０１８５】
図２３は、本発明の実施例による無線構成を使用する転送端の転送チェーンの一例を示す図である。
【０１８６】
図２３に示すように、本発明の実施例による無線構成を使用する転送端の転送チェーンを参照すると、トラフィックチャネルが２つの基本チャネルである順方向主トラフィックチャネル（Ｆｏｒｗａｒｄ  Ｐｒｉｍａｒｙ  Ｔｒａｆｆｉｃ  ｃｈａｎｎｅｌ：以下、“Ｆ−ＰＴＣＨ”という。）と順方向副トラフィックチャネル（Ｆｏｒｗａｒｄ  Ｓｅｃｏｎｄａｒｙ  Ｔｒａｆｆｉｃ  ｃｈａｎｎｅｌ：以下、“Ｆ−ＳＴＣＨ”という。）とで構成されて転送される。
【０１８７】
図２３は、一つのウォルシュコードが偶数番目のＰＣＧと奇数番目のＰＣＧに時分割されて２つの基本チャネルが定義され、トラフィック情報が１／２コーディング率でコーディングされ、同一のトラフィック情報が２つの基本チャネルに転送される場合を示す。この場合、基本チャネルのそれぞれの転送コーディング率は１になり、受信端が成功的に情報を受信するためには、２つ以上の基本チャネルから同一のトラフィック情報を受信しなければならない。
【０１８８】
図２３で、基本チャネルのそれぞれは、同一のインターリーバーを通過したビットシーケンスを取り込み、基本チャネル別に独立して循環移動を行い、その結果を、各基本チャネルに割り当てられたウォルシュコードを用いてスプレッディング及び変調した後、基本チャネルのそれぞれに割り当てられたＰＣＧでは信号を転送し、割り当てられていないＰＣＧでは信号を転送しない。図２３で、スプレッド及び変調部（ｓｐｒｅａｄｅｒ  ＆  ｍｏｄｕｌａｔｏｒ）とＰＣＧ選択部（ＰＣＧ  ｓｅｌｅｃｔｏｒ）は順序を換えても良い。
【０１８９】
ノンハンドオーバー領域にある端末は、トラフィック情報を成功的に受信するために２つの基本チャネルであるＦ−ＰＴＣＨ及びＦ−ＳＴＣＨを受信する。Ｆ−ＰＴＣＨとＦ−ＳＴＣＨの循環移動値が０であり、Ｆ−ＰＴＣＨとＦ−ＳＴＣＨのウォルシュコードインデックスが同一であり、Ｆ−ＰＴＣＨはフレームの奇数番目のＰＣＧに割り当てられ、Ｆ−ＳＴＣＨはフレームの偶数番目のＰＣＧに割り当てられると、本発明の実施例による転送端の転送信号は、従来技術による転送端の転送信号と同一である。
【０１９０】
図２４は、本発明の実施例による無線構成を使用する転送端の転送チェーンの他の例を示す図である。
【０１９１】
図２４に示すように、レートマッチングされたビットシーケンスは、直列並列変換部（ｓｅｒｉａｌ  ｔｏ  ｐａｒａｌｌｅｌ  ｂｌｏｃｋ）で２つのシーケンスに分けられ、２つのシーケンスのそれぞれはインターリービングされ、循環移動された後、スプレッドされて変調される。そして、変調された信号は、基本チャネルに割り当てられたＰＣＧにマッピングされて転送される。
【０１９２】
ソフトハンドオーバー環境で本発明の実施例による無線構成を使用する場合について説明する。
【０１９３】
図２５は、本発明の実施例による無線構成を使用する２つの基地局がハンドオフ環境にある端末と通信する過程を示す図である。
【０１９４】
図２５で、Ｆ−ＰＴＣＨの循環移動値は０であり、インターリーバーの出力シーケンス長がＮである時、Ｆ−ＳＴＣＨの循環移動値はＮ／１６であり、Ｆ−ＰＴＣＨとＦ−ＳＴＣＨのウォルシュコードインデックスは互いに異なり、Ｆ−ＰＴＣＨ、Ｆ−ＳＴＣＨ両方ともフレームの奇数番目のＰＣＧに割り当てられて転送されるようにすると、信号転送がＰＣＧ単位の５０％義務サイクル（ｄｕｔｙ  ｃｙｃｌｅ）を有するので、早期終了手法と結合して早期終了が完了し、ＡＣＫフィードバックが受信されるまで余分に転送される信号パワーを減らす効果が得られる。
【０１９５】
図２６は、本発明の実施例による無線構成を使用する場合におけるハンドオフ過程の一例を示す図であり、図２７は、本発明の実施例による無線構成を使用する場合におけるハンドオフ過程の他の例を示す図である。
【０１９６】
図２６を参照すると、端末は、第１基地局（ＢＳ１）と連結されている状態で第１基地局からＦ−ＰＴＣＨ及びＦ−ＳＴＣＨを通じてデータを受信する。この時、Ｆ−ＰＴＣＨの循環移動値は０であり、Ｆ−ＳＴＣＨの循環移動値はＮ／１６である。
【０１９７】
その後、端末が第２基地局（ＢＳ２）側に移動して、第２基地局からのパイロット信号対干渉比（Ｃａｒｒｉｅｒ  ｔｏ  Ｉｎｔｅｒｆｅｒｅｎｃｅ  Ｒａｔｉｏ：以下、“Ｃ／I”という。）がトラフィックチャネル追加臨界値（Ｔ＿ＡＤＤ  ｔｈｒｅｓｈｏｌｄ）を超過すると、基地局制御器（Ｂａｓｅ  ｓｔａｔｉｏｎ  ｃｏｎｔｒｏｌｌｅｒ：ＢＳＣ）は、ハンドオーバーメッセージを通じて、第２基地局のＦ−ＰＴＣＨを端末に割り当てることを端末に知らせる。すると、端末は、第２基地局のＦ−ＰＴＣＨを正常に受信した後、ハンドオーバー完了メッセージ（ｈａｎｄｏｖｅｒ  ｃｏｍｐｌｅｔｅ  ｍｅｓｓａｇｅ）を基地局制御器に転送すると、基地局制御器は、端末のハンドオーバーが完了したことを確認することができる。この時、第２基地局のＦ−ＰＴＣＨの循環移動値が（Ｎ／２＋Ｎ／１６）であれば、コード結合ソフトハンドオフの利得を最大化させることができる。
【０１９８】
そして、第１基地局からのパイロットＣ／Iが一定臨界値よりも低くなると、基地局制御器は、ハンドオーバーメッセージを通じて、第１基地局のＦ−ＳＴＣＨを解除（ｄｅ−ａｌｌｏｃａｔｉｏｎ）することを知らせる。端末がハンドオーバーメッセージを正常に受信し、ハンドオーバー完了メッセージを第１基地局に転送すると、第１基地局はＦ−ＳＴＣＨの転送を中止し、端末に割り当てたウォルシュコードリソースを回収する。
【０１９９】
端末が第２基地局側にさらに移動して、第２基地局からのパイロットＣ／Iが一定臨界値よりも高くなると、基地局制御器は、ハンドオーバーメッセージを通じて、第２基地局のＦ−ＳＴＣＨが端末に割り当てられることを端末に知らせる。この時、第２基地局のＦ−ＰＴＣＨの循環移動値がＮ／２であれば、コード結合ソフトハンドオフの利得を最大化させることができる。
【０２００】
そして、第１基地局からのパイロットＣ／Iがトラフィックチャネル解除臨界値（Ｔ＿Ｄｒｏｐ  ｔｈｒｅｓｈｏｌｄ）よりも低くなると、基地局制御器は、ハンドオーバーメッセージを通じて、第１基地局のＦ−ＰＴＣＨを解除することを端末に知らせる。端末がハンドオーバーメッセージを正常に受信し、ハンドオーバー完了メッセージを第１基地局に転送すると、第１基地局は、Ｆ−ＰＴＣＨの信号転送を中止し、端末に割り当てられたウォルシュコードリソースを回収する。
【０２０１】
図２６に示す例で、２番目のハンドオーバーメッセージの転送時点と３番目のハンドオーバーメッセージの転送時点の間には、第１基地局と第２基地局がＦ−ＰＴＣＨのみを端末に転送する。
【０２０２】
図２７では、第１基地局のＦ−ＳＴＣＨの解除と第２基地局のＦ−ＳＴＣＨの割当が同時に行われる。すなわち、端末には、Ｎ−ウェイハンドオーバー領域でＮ個の基地局からＦ−ＰＴＣＨが割り当てられ、最も良好な一つの基地局からのみＦ−ＳＴＣＨが割り当てられることができる。または、端末には、Ｎ−ウェイハンドオーバー領域でＮ個の基地局からＦ−ＰＴＣＨが割り当てられ、Ｎ個の基地局のうちの一部からＦ−ＳＴＣＨが割り当てられることもできる。
【０２０３】
上記の説明の通り、本発明の実施例による無線構成を使用すると、Ｎ−ウェイハンドオーバー領域で基地局のそれぞれから割り当てられるウォルシュコードリソースは、既存方式に比べて半分に減少し、ウォルシュコードリソースの不足現象を緩和させることができる。
【０２０４】
図２５の例では、Ｆ−ＰＴＣＨ、Ｆ−ＳＴＣＨ両方ともフレームの奇数番目のＰＣＧに割り当てられているため、早期終了の利得は向上させることができるが、奇数番目のＰＣＧと偶数番号目のＰＣＧのウォルシュコードリソース使用率においてアンバランス問題が生じうる。したがって、この問題を解決するために、Ｆ−ＰＴＣＨ及びＦ−ＳＴＣＨのそれぞれに独立して柔軟にＰＣＧが割り当てられるようにする方式を提案する。
【０２０５】
図２５で、Ｆ−ＰＴＣＨにＦ−ＰＣＳＣＨがパンクチャリング（ｐｕｎｃｔｕｒｉｎｇ）されて転送される。すなわち、Ｆ−ＰＴＣＨ割当過程にＦ−ＰＣＳＣＨの割当が共に行われる。これと違い、Ｆ−ＳＴＣＨには制御チャネルがパンクチャリングされて挿入されない。したがって、ハンドオーバー手順において、端末は、アクティブセクターの全基地局からＦ−ＰＴＣＨを受信し、Ｆ−ＳＴＣＨは必要に応じて受信する。そして、逆方向リンクチャネルの早期終了のために、基地局は順方向でＦ−ＡＣＫＳＣＨを転送する。図２５では、Ｆ−ＡＣＫＳＣＨが順方向指示制御チャネル（Ｆｏｒｗａｒｄ−Ｉｎｄｉｃａｔｏｒ  Ｃｏｎｔｒｏｌ  Ｃｈａｎｎｅｌ：以下、“Ｆ−ＩＣＣＨ”という。）に他の指示信号と時分割多重化（ｔｉｍｅ  ｄｉｖｉｓｉｏｎ  ｍｕｌｔｉｐｌｅｘｅｒ：ＴＤＭ）されて転送される。
【０２０６】
図２８は、本発明の実施例による無線構成を使用する場合、Ｆ−ＰＣＳＣＨ及びＦ−ＡＣＫＳＣＨ制御チャネルの構成の一例を示す図である。
【０２０７】
図２８で、基地局は、Ｆ−ＩＣＣＨを追加的に使用せずにＦ−ＰＣＳＣＨ及びＦ−ＡＣＫＳＣＨをＦ−ＰＴＣＨにパンクチャリングして転送する。図２８に示す例は、Ｆ−ＩＣＣＨのためのウォルシュコードリソースは必要としないが、Ｆ−ＰＴＣＨが過度にパンクチャリングされる短所がある。
【０２０８】
図２９は、本発明の実施例による無線構成を使用する場合、Ｆ−ＰＣＳＣＨ及びＦ−ＡＣＫＳＣＨ制御チャネルの構成の他の例を示す図である。
【０２０９】
図２９で、基地局は、Ｆ−ＰＣＳＣＨ及びＦ−ＡＣＫＳＣＨをＦ−ＩＣＣＨに他の指示信号と時分割多重化して転送する。図２９に示す例は、電力制御命令語の転送レートとＡＣＫの転送レートを自由に選択できる長所がある。そして、基本チャネルの優先順位がないので、チャネル割当において自由にＦ−ＴＣＨ１及びＦ−ＴＣＨ２のうちのいずれかのチャネルを割り当て、いずれかのチャネルを解除することができる。
【０２１０】
図３０は、本発明の実施例による無線構成を使用する場合、Ｆ−ＰＣＳＣＨ及びＦ−ＡＣＫＳＣＨ制御チャネルの構成の他の例を示す図である。図３０で、基地局は、Ｆ−ＴＣＨ１にＦ−ＰＣＳＣＨをパンクチャリングして転送し、Ｆ−ＴＣＨ２にＦ−ＡＣＫＳＣＨをパンクチャリングして転送する。
【０２１１】
本発明による実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例による無線通信システムにおいてスリップモード動作方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２１２】
ファームウェアやソフトウェアによる具現の場合、本発明の一実施例による無線通信システムでスリップモード動作方法は、以上で説明した機能または動作を行うモジュール、手順、関数などの形態で具現することができる。ソフトウェアコードはメモリユニットに記憶させ、プロセッサにより駆動することができる。メモリユニットはプロセッサの内部または外部に設けられて、公知の様々な手段によりプロセッサとデータを交換することができる。
【０２１３】
本発明は、本発明の技術的思想及び必須特徴を逸脱しない範囲で他の特定の形態に具体化できることは、当業者には自明てある。したがって、上記の詳細な説明は、いずれの面においても制約的に解釈されてはならず、例示的なものとして考慮しなければならない。本発明の範囲は、添付した請求項の合理的解釈により決定されるべきであり、本発明の等価的範囲内における変更はいずれも本発明の範囲に含まれる。
【０２１４】
特許請求の範囲で明示的な引用関係にない請求項を結合して実施例を構成したり、出願後の補正により新しい請求項として含めることができることは自明である。
【図２０ａ】
2011518460.tif 000009
【図２０ｂ】
2011518460.tif 000010
【図２８】
2011518460.tif 000011
【図２９】
2011518460.tif 000012
【図１】
2011518460.tif 000013
【図２】
2011518460.tif 000014
【図３】
2011518460.tif 000015
【図４】
2011518460.tif 000016
【図５】
2011518460.tif 000017
【図６】
2011518460.tif 000018
【図７】
2011518460.tif 000019
【図８】
2011518460.tif 000020
【図９】
2011518460.tif 000021
【図１０】
2011518460.tif 000022
【図１１】
2011518460.tif 000023
【図１２】
2011518460.tif 000024
【図１３】
2011518460.tif 000025
【図１４】
2011518460.tif 000026
【図１５】
2011518460.tif 000027
【図１６】
2011518460.tif 000028
【図１７】
2011518460.tif 000029
【図１８】
2011518460.tif 000030
【図１９】
2011518460.tif 000031
【図２１】
2011518460.tif 000032
【図２２】
2011518460.tif 000033
【図２３】
2011518460.tif 000034
【図２４】
2011518460.tif 000035
【図２５】
2011518460.tif 000036
【図２６】
2011518460.tif 000037
【図２７】
2011518460.tif 000038
【図３０】
2011518460.tif 000039
【手続補正書】
【提出日】平成22年9月13日(2010.9.13)
【手続補正１】
【補正対象書類名】明細書
【補正対象項目名】００３３
【補正方法】変更
【補正の内容】
【００３３】
なお、前記転送データは音声データとすることができる。
（項目１）
無線通信システムのソフトハンドオフ環境にある端末でデータを受信する方法であって、
第１基地局から、転送データが第１インターリーバーパターンを用いてインターリービングされた第１シーケンスを受信し、
第２基地局から、前記転送データが第２インターリーバーパターンを用いてインターリービングされた第２シーケンスを受信し、
前記第１シーケンスの割り当てられたフレーム全体を受信する前に、前記第１シーケンス及び前記第２シーケンスを結合してデコーディングすること、
を含む、データ受信方法。
（項目２）
前記第２シーケンスは、前記第１シーケンスが循環移動したシーケンスであることを特徴とする、項目１に記載のデータ受信方法。
（項目３）
前記第２シーケンスは、前記第１シーケンスが（前記第１シーケンスの長さ／２）だけ循環移動したシーケンスであることを特徴とする、項目２に記載のデータ受信方法。
（項目４）
前記デコーディングを成功的に行うと、前記基地局にＡＣＫを転送するステップをさらに含むことを特徴とする、項目１に記載のデータ受信方法。
（項目５）
前記第１シーケンス及び前記第２シーケンスは、畳み込みコードでエンコーディングされていることを特徴とする、項目１に記載のデータ受信方法。
（項目６）
前記転送データは、音声データであることを特徴とする、項目１に記載のデータ受信方法。
（項目７）
無線通信システムのソフトハンドオフ環境でデータを受信する端末であって、
第１基地局から、転送データが第１インターリーバーパターンを用いてインターリービングされた第１シーケンスを受信し、第２基地局から、前記転送データが第２インターリーバーパターンを用いてインターリービングされた第２シーケンスを受信する受信モジュールと、
前記第１シーケンスの割り当てられたフレーム全体を受信する前に、前記第１シーケンス及び前記第２シーケンスを結合してデコーディングするデコーダと、
を含む端末。
（項目８）
前記第２シーケンスは、前記第１シーケンスが循環移動したシーケンスであることを特徴とする、項目７に記載の端末。
（項目９）
前記第２シーケンスは、前記第１シーケンスが（前記第１シーケンスの長さ／２）だけ循環移動したシーケンスであることを特徴とする、項目８に記載の端末。
（項目１０）
前記デコーディングを成功的に行うと、前記基地局にＡＣＫを転送することを特徴とする、項目７に記載の端末。
（項目１１）
前記第１シーケンス及び前記第２シーケンスは、畳み込みコードでエンコーディングされていることを特徴とする、項目７に記載の端末。
（項目１２）
前記転送データは、音声データであることを特徴とする、項目７に記載の端末。
（項目１３）
無線通信システムのソフトハンドオフ環境にある端末と通信している第１基地局でデータを転送する方法であって、
転送データを第１インターリーバーパターンを用いてインターリービングして生成された第１シーケンスを前記端末に転送すし、
前記端末から肯定確認応答（Ａｃｋｎｏｗｌｅｄｇｅｍｅｎｔ：ＡＣＫ）を受信すると、前記第１シーケンスの割り当てられたフレームの転送を中断すること、
を含み、
前記第１シーケンスは、前記端末と通信している第２基地局が前記転送データを第２インターリーバーパターンを用いて生成した第２シーケンスと異なることを特徴とする、データ転送方法。
（項目１４）
前記第２シーケンスは、前記第１シーケンスが循環移動したシーケンスであることを特徴とする、項目１３に記載のデータ転送方法。
（項目１５）
前記第２シーケンスは、前記第１シーケンスが（前記第１シーケンスの長さ／２）だけ循環移動したシーケンスであることを特徴とする、項目１３に記載のデータ転送方法。
（項目１６）
前記第１シーケンス及び前記第２シーケンスは、畳み込みコードでエンコーディングされていることを特徴とする、項目１３に記載のデータ転送方法。
（項目１７）
前記転送データは、音声データであることを特徴とする、項目１３に記載のデータ転送方法。
（項目１８）
無線通信システムのソフトハンドオフ環境にある端末と通信している基地局であって、
転送データをエンコーディングするエンコーダと、
前記エンコーディングされたデータを第１インターリーバーパターンを用いてインターリービングして第１シーケンスを生成するインターリーバーと、
を含み、
前記基地局は、前記端末から肯定確認応答（Ａｃｋｎｏｗｌｅｄｇｅｍｅｎｔ：ＡＣＫ）を受信すると、前記第１シーケンスの割り当てられたフレームの転送を中断し、前記第１シーケンスは、前記端末と通信している他の基地局が前記転送データを第２インターリーバーパターンを用いて生成した第２シーケンスと異なることを特徴とする基地局。
（項目１９）
前記第２シーケンスは、前記第１シーケンスが循環移動したシーケンスであることを特徴とする、項目１８に記載の基地局。
（項目２０）
前記第２シーケンスは、前記第１シーケンスが（前記第１シーケンスの長さ／２）だけ循環移動したシーケンスであることを特徴とする、項目１８に記載の基地局。
（項目２１）
前記エンコーダは、畳み込みコードを用いて前記転送データをエンコーディングすることを特徴とする、項目１８に記載の基地局。
（項目２２）
前記転送データは、音声データであることを特徴とする、項目１８に記載の基地局。
【手続補正２】
【補正対象書類名】特許請求の範囲
【補正対象項目名】全文
【補正方法】変更
【補正の内容】
【特許請求の範囲】
【請求項１】
無線通信システムのソフトハンドオフ環境にある端末でデータを受信する方法であって、
第１基地局から、転送データが第１インターリーバーパターンを用いてインターリービングされた第１シーケンスを受信し、
第２基地局から、前記転送データが第２インターリーバーパターンを用いてインターリービングされた第２シーケンスを受信すること、
を含み、
前記第２シーケンスは、前記第１シーケンスが循環移動したシーケンスであることを特徴とするデータ受信方法。
【請求項２】
前記第１シーケンスの割り当てられたフレーム全体を受信する前に、前記第１シーケンス及び前記第２シーケンスを結合してデコーディングするステップをさらに含むことを特徴とする、請求項１に記載のデータ受信方法。
【請求項３】
前記デコーディングを成功的に行うと、前記基地局にＡＣＫを転送するステップをさらに含むことを特徴とする、請求項２に記載のデータ受信方法。
【請求項４】
前記第２シーケンスは、前記第１シーケンスが（前記第１シーケンスの長さ／２）だけ循環移動したシーケンスであることを特徴とする、請求項１に記載のデータ受信方法。
【請求項５】
前記第１シーケンス及び前記第２シーケンスは、畳み込みコードでエンコーディングされていることを特徴とする、請求項１に記載のデータ受信方法。
【請求項６】
前記転送データは、音声データであることを特徴とする、請求項１に記載のデータ受信方法。
【請求項７】
無線通信システムのソフトハンドオフ環境でデータを受信する端末であって、
第１基地局から、転送データが第１インターリーバーパターンを用いてインターリービングされた第１シーケンスを受信し、第２基地局から、前記転送データが第２インターリーバーパターンを用いてインターリービングされた第２シーケンスを受信する受信モジュールと、
前記第１シーケンス及び前記第２シーケンスを結合してデコーディングするデコーダと、
を含み
前記第２シーケンスは、前記第１シーケンスが循環移動したシーケンスであることを特徴とする端末。
【請求項８】
前記デコーダは、前記第１シーケンスの割り当てられたフレーム全体を受信する前に、前記第１シーケンス及び前記第２シーケンスを結合してデコーディングすることを特徴とする、請求項７に記載の端末。
【請求項９】
前記第２シーケンスは、前記第１シーケンスが（前記第１シーケンスの長さ／２）だけ循環移動したシーケンスであることを特徴とする、請求項７に記載の端末。
【請求項１０】
前記デコーディングを成功的に行うと、前記基地局にＡＣＫを転送することを特徴とする、請求項７に記載の端末。
【請求項１１】
前記第１シーケンス及び前記第２シーケンスは、畳み込みコードでエンコーディングされていることを特徴とする、請求項７に記載の端末。
【請求項１２】
前記転送データは、音声データであることを特徴とする、請求項７に記載の端末。
【請求項１３】
無線通信システムのソフトハンドオフ環境にある端末と通信している第１基地局でデータを転送する方法であって、
転送データを第１インターリーバーパターンを用いてインターリービングして生成された第１シーケンスを前記端末に転送し、
前記端末から肯定確認応答（Ａｃｋｎｏｗｌｅｄｇｅｍｅｎｔ：ＡＣＫ）を受信すると、前記第１シーケンスの割り当てられたフレームの転送を中断すること、
を含み、
前記第１シーケンスは、前記端末と通信している第２基地局が前記転送データを第２インターリーバーパターンを用いて生成した第２シーケンスと異なることを特徴とする、データ転送方法。
【請求項１４】
前記第２シーケンスは、前記第１シーケンスが循環移動したシーケンスであることを特徴とする、請求項１３に記載のデータ転送方法。
【請求項１５】
前記第２シーケンスは、前記第１シーケンスが（前記第１シーケンスの長さ／２）だけ循環移動したシーケンスであることを特徴とする、請求項１４に記載のデータ転送方法。
【請求項１６】
前記第１シーケンス及び前記第２シーケンスは、畳み込みコードでエンコーディングされていることを特徴とする、請求項１３に記載のデータ転送方法。
【請求項１７】
前記転送データは、音声データであることを特徴とする、請求項１３に記載のデータ転送方法。
【請求項１８】
無線通信システムのソフトハンドオフ環境にある端末と通信している基地局であって、
転送データをエンコーディングするエンコーダと、
前記エンコーディングされたデータを第１インターリーバーパターンを用いてインターリービングして第１シーケンスを生成するインターリーバーと、
を含み、
前記基地局は、前記端末から肯定確認応答（Acknowledgement：ACK）を受信すると、前記第１シーケンスの割り当てられたフレームの転送を中断し、前記第１シーケンスは、前記端末と通信している他の基地局が前記転送データを第２インターリーバーパターンを用いて生成した第２シーケンスと異なることを特徴とする基地局。
【請求項１９】
前記第２シーケンスは、前記第１シーケンスが循環移動したシーケンスであることを特徴とする、請求項１８に記載の基地局。
【請求項２０】
前記第２シーケンスは、前記第１シーケンスが（前記第１シーケンスの長さ／２）だけ循環移動したシーケンスであることを特徴とする、請求項１９に記載の基地局。
【請求項２１】
前記エンコーダは、畳み込みコードを用いて前記転送データをエンコーディングすることを特徴とする、請求項１８に記載の基地局。
【請求項２２】
前記転送データは、音声データであることを特徴とする、請求項１８に記載の基地局。
【国際調査報告】
2011518460.tif 000040
2011518460.tif 000041